(57)【要約】【課題】宝石類などを吊り下げて揺動させる機構に不要な外力を作用させ難くすることができる装飾用部品を提供する。【解決手段】  装飾用部品（７）は、物品に固定されたフレーム（１１０）と、被吊り下げ体（１０，２０）と、フレーム１１０に設けられた吊り下げ部（３２）とを有する。吊り下げ部（３２）は、被吊り下げ体（１０，２０）を仮想的な揺動軸（ＡＸ）の周りで揺動可能に吊り下げる。被吊り下げ体（１０，２０）と吊り下げ部（３２）とは、揺動軸（ＡＸ）上に位置する２つの接触部（Ｏ）において接触する。フレーム（１１０）は、一方の外側範囲（ＲＥ）において、物品により覆われていない一方の接触部（Ｏ）の周囲を覆い、他方の外側範囲（ＲＥ）において、物品により覆われていない他方の接触部（Ｏ）の周囲を覆う。【選択図】図１９
2019107279.tif 000002
【特許請求の範囲】
【請求項１】
物品の外観を装飾する装飾用部品であって、
前記物品に固定されたフレームと、
２つの第１リング部を含む被吊り下げ体と、
２つの第２リング部を含み、前記フレームに設けられた吊り下げ部とを有し、
一方の前記第１リング部と一方の前記第２リング部とが連結され、
他方の前記第１リング部と他方の前記第２リング部とが連結され、
互いに連結された前記第１リング部と前記第２リング部とが接触部において接触し、
前記吊り下げ部は、前記被吊り下げ体を仮想的な揺動軸の周りで揺動可能に吊り下げ、
前記被吊り下げ体と前記吊り下げ部とは、前記揺動軸上に位置する２つの前記接触部において接触し、
前記２つの接触部の間に位置し前記揺動軸に垂直な所定の２つの平面により区分される３つの範囲のうち、１つの前記接触部をそれぞれ含む２つの範囲をそれぞれ外側範囲と規定した場合に、
前記フレームは、
一方の前記外側範囲において、前記物品により覆われていない一方の前記接触部の周囲を覆い、
他方の前記外側範囲において、前記物品により覆われていない他方の前記接触部の周囲を覆う、
装飾用部品。
【請求項２】
前記揺動軸に垂直な方向の１つを縦方向と規定し、前記揺動軸に平行な方向を横方向と規定し、前記縦方向及び前記横方向に垂直な方向を前後方向と規定した場合に、
前記被吊り下げ体は、前記前後方向における少なくとも前側から目視可能であり、
前記フレームは、前記横方向における左側及び右側から前記被吊り下げ体を覆う、
請求項１に記載の装飾用部品。
【請求項３】
前記フレームは、前記縦方向における上側及び下側から前記被吊り下げ体を覆う、
請求項２に記載の装飾用部品。
【請求項４】
前記フレームは、前記第２リング部を通り前記揺動軸に垂直な任意の平面上において、前記物品により覆われていない前記第２リング部の周囲を覆う、
請求項１〜３のいずれか一項に記載の装飾用部品。
【請求項５】
前記フレームは、前記第１リング部を通り前記揺動軸に垂直な任意の平面上において、前記物品により覆われていない前記第１リング部の周囲を覆う、
請求項１〜４のいずれか一項に記載の装飾用部品。
【請求項６】
前記第２リング部は、前記接触部を覆った前記フレームの内面に設けられている、
請求項１〜５のいずれか一項に記載の装飾用部品。
【請求項７】
前記フレームは、
前記物品に固定された基部と、
前記接触部を覆い、前記基部に着脱可能に固定された着脱部とを含み、
前記吊り下げ部は、前記基部又は前記着脱部に設けられている、
請求項１〜５のいずれか一項に記載の装飾用部品。
【請求項８】
前記フレームは、前記被吊り下げ体の一部を外側に露出させる開口部を持つ、
請求項１〜７のいずれか一項に記載の装飾用部品。
【請求項９】
前記開口部の縁は、前記接触部を覆う前記フレームの内面側において突出している、
請求項８に記載の装飾用部品。
【請求項１０】
前記フレームは、少なくとも一部が透明であり、
前記被吊り下げ体の少なくとも一部は、前記フレームの透明な部分を介して目視可能である、
請求項１〜９のいずれか一項に記載の装飾用部品。
【請求項１１】
前記フレームは、前記物品により覆われていない前記被吊り下げ体の周囲を覆う、
請求項１０に記載の装飾用部品。
【請求項１２】
請求項１〜１１のいずれか一項に記載の装飾用部品を備えた物品。
【請求項１３】
前記物品は、眼鏡、腕時計、置時計、印鑑、かばん、財布、文房具、鍵、スマートフォン、オルゴール、おもちゃ、楽器又は運動用具である、
請求項１２に記載の物品。
【発明の詳細な説明】
【技術分野】
【０００１】
本開示は、様々な物品を装飾する装飾用部品と、そのような装飾用部品を備えた物品に関するものである。
【背景技術】
【０００２】
ペンダント（ネックレス）やピアスなどの身飾品においては、ダイヤモンドなどの宝石が台座部に保持されるとともに、その宝石及び台座部が小さく揺動するように配されるものが知られている。台座部に保持された宝石が小さく揺動することにより、宝石が止まっているときよりもキラキラと輝いて見えるため、宝石の美しさが更に強調される。
【０００３】
このように宝石が揺動可能に配される身飾品が、例えば特開２０１５−５４１６２号公報（特許文献１）に記載されており、実施形態の１つとして、ペンダントのチェーンに取り付けられるペンダントトップが開示されている。ここで、特許文献１のペンダントトップについて、図３２及び図３３を参照しながら簡単に説明する。
【０００４】
図３２及び図３３に示したペンダントトップ７０は、宝石であるダイヤモンド７１を固定して保持する台座部７２と、その台座部７２を支持するフレーム部８１とを有する。台座部７２は、ダイヤモンド（宝石）７１が保持される台座本体部７３と、台座本体部７３の左右両側から幅方向の外側に向けて延出する左右のアーム部７４と、アーム部７４の先端部に配される左右の環状の台座側係合リング部７５とを有する。また、台座本体部７３には、ダイヤモンド７１を固定するための複数の爪部７６が設けられている。
【０００５】
左右のアーム部７４及び台座側係合リング部７５は、ペンダントトップ７０の側面視において、そのリング部７５の正面及び背面の向きが、台座部７２に保持されるダイヤモンド７１のテーブル表面に対して傾斜するようにして配されている。特に特許文献１では、台座側係合リング部７５の正面及び背面が重力方向と平行になるときに（台座側係合リング部７５の中央開口部が水平方向に向くときに）、台座部７２に保持されるダイヤモンド７１のテーブル表面が斜め上方を向くように配されている。
【０００６】
また、特許文献１の台座部７２は、台座側係合リング部７５がフレーム部８１の後述するフレーム側係合リング部８２に連結されてフレーム部８１に支持されたときに、ペンダントトップ７０の側面視において、台座側係合リング部７５がフレーム側係合リング部８２と接触する接点の位置が、宝石７１及び台座部７２の全体における重心の位置に対し、重力方向の上方に配されるように形成されている。
【０００７】
特許文献１のフレーム部８１は、正面視にて逆Ｖ字状を呈するフレーム本体部８３と、フレーム本体部８３の左右下端部の裏面に設けられる左右のフレーム側係合リング部８２とを有する。また、フレーム本体部８３の上端部には、ペンダントのチェーンを連結するためのチェーン連結孔部８４が、左右方向（ペンダントトップ７０の幅方向）に貫通するように設けられている。
【０００８】
左右のフレーム側係合リング部８２は、ペンダントトップ７０がチェーンにぶら下げられたときに、フレーム側係合リング部８２の中央開口部が左右方向に向くようにフレーム本体部８３に一体的に形成されている。このような左右のフレーム側係合リング部８２には、台座部７２における左右の台座側係合リング部７５がそれぞれ連結されて係合する。この場合、フレーム側係合リング部８２と台座側係合リング部７５とは、相手方の中央開口部を互いに貫通するとともに内周縁部同士を接触させるようにして相互に係合する。
【０００９】
このような特許文献１のペンダントトップ７０では、台座部７２が、フレーム部８１における左右のフレーム側係合リング部８２の内周縁部に、左右の台座側係合リング部７５が内周縁部を接触させて引っ掛かるようにしてフレーム部８１に保持される。これにより、例えばペンダントトップ７０を動かしたときや揺らしたとき等に、台座部７２と台座部７２に保持されたダイヤモンド７１とを、フレーム部８１に吊り下げられた状態で前後方向に小さく揺動させることが可能となる。このようにダイヤモンド７１が小さく揺動することによって、ダイヤモンド７１をより美しく輝かせることができる。
【００１０】
特に特許文献１のペンダントトップ７０では、ペンダントを形成したときに、ダイヤモンド７１のテーブル表面が斜め上方を向くように台座部７２がフレーム部８１に支持される。それにより、そのペンダントを着用した使用者の胸元で、ダイヤモンド７１のテーブル表面が他人の目線に入り易いようにしてダイヤモンド７１をより効果的に輝かせることができる。
【００１１】
更に特許文献１には、台座側係合リング部７５及びフレーム側係合リング部８２の一方又は両方を、その周方向に直交する断面の形状が内周端縁に向けて細くなる形状を有するように形成することが記載されている。これにより、台座側係合リング部７５とフレーム側係合リング部８２とを係合したときに両部材の接触面積を小さくして、台座部７２の揺動時の摩擦抵抗を小さくできるため、宝石７１が揺動する時間をより長く延ばすことができる。
【先行技術文献】
【特許文献】
【００１２】
【特許文献１】特開２０１５−５４１６２号公報
【発明の概要】
【発明が解決しようとする課題】
【００１３】
特許文献１に記載されているペンダントトップ７０では、上述したように、台座部７２が、台座側係合リング部７５及びフレーム側係合リング部８２を介してフレーム部８１に支持されていることにより、台座部７２に保持されている宝石７１を細かく揺動させることが可能である。
【００１４】
しかし、特許文献１のペンダントトップ７０の場合、台座部７２の台座側係合リング部７５が、前方（正面側）、後方（背面側）、上方、下方、及びペンダントトップ７０の幅方向（左右方向）における外側方のそれぞれの方向に露出した剥き出しの状態で配されている。また、フレーム部８１のフレーム側係合リング部８２は、その前面（正面）側がフレーム本体部８３によって覆い隠されているものの、フレーム側係合リング部８２の後方（背面側）、上方、下方、及び幅方向の外側方とが露出した状態で配されている。
【００１５】
このため、そのペンダントトップ７０にチェーンを取り付けてペンダントとして使用したときに、台座側係合リング部７５やフレーム側係合リング部８２が、外部に露出していることにより、別の物体（物品）にぶつかったり、衝突したりすることがあり、それよって、思いがけない荷重（外力）を局部的に受ける可能性や、偶発的に強く押圧されて大きな荷重を受ける可能性がある。
【００１６】
一方、このペンダントトップ７０において、台座側係合リング部７５及びフレーム側係合リング部８２により宝石７１を揺動させる構造は、小さく且つ繊細に形成されているため、変形に対して弱いという性質を備える。従って、上述のように台座側係合リング部７５やフレーム側係合リング部８２が、外部から力（外力）を局部的に又は強く受けると、台座側係合リング部７５やフレーム側係合リング部８２に歪みなどの変形が生じ易く、その結果、上述のような宝石７１の細かな揺動運動が円滑に行えなくなる又は不能になるといった不具合や、台座部７２がフレーム部８１から外れるといった不具合が引き起こされる虞がある。
【００１７】
また、ペンダントトップ７０の台座側係合リング部７５やフレーム側係合リング部８２が外部に露出していると、これらの台座側係合リング部７５やフレーム側係合リング部８２に、使用者の髪の毛や、衣類やマフラーなどの糸が絡み付くことが考えられる。このように台座側係合リング部７５やフレーム側係合リング部８２に糸などが絡み付いたまま放置されてしまうと、宝石７１の細かな揺動運動が阻害される場合もある。
【００１８】
更に、台座側係合リング部７５やフレーム側係合リング部８２が外側に露出して配されることにより、ペンダントトップ７０のデザインが制約され、デザインのバリエーションを増やし難いという欠点もある。
【００１９】
宝石等を揺動させる構造を備えた装飾用の部品によって様々な物品（サングラス、腕時計など）の外観を装飾する場合にも、上述した身飾品の場合と同様な不利益が生じる。
【００２０】
そこで、本開示は、宝石類などを吊り下げて揺動させる機構に不要な外力を作用させ難くすることができる装飾用部品と、そのような装飾用部品を備えた物品を提供することを目的とする。
【課題を解決するための手段】
【００２１】
本開示の第１の側面は、物品の外観を装飾する装飾用部品に関する。この装飾用部品は、物品に固定されたフレームと、２つの第１リング部を含む被吊り下げ体と、２つの第２リング部を含み、フレームに設けられた吊り下げ部とを有する。一方の第１リング部と一方の第２リング部とが連結され、他方の第１リング部と他方の第２リング部とが連結され、互いに連結された第１リング部と第２リング部とが接触部において接触する。吊り下げ部は、被吊り下げ体を仮想的な揺動軸の周りで揺動可能に吊り下げる。被吊り下げ体と吊り下げ部とは、揺動軸上に位置する２つの接触部において接触する。２つの接触部の間に位置し揺動軸に垂直な所定の２つの平面により区分される３つの範囲のうち、それぞれ１つの接触部を含む２つの範囲をそれぞれ外側範囲と規定した場合に、フレームは、一方の外側範囲において、物品により覆われていない一方の接触部の周囲を覆い、他方の外側範囲において、物品により覆われていない他方の接触部の周囲を覆う。
【００２２】
この第１の側面に係る装飾用部品では、吊り下げ部によって吊り下げられた被吊り下げ体が、仮想的な揺動軸の周りで揺動可能な状態となる。この揺動可能な状態において、被吊り下げ体と吊り下げ部とが、揺動軸上に位置する２つの接触部において接触する。すなわち、連結された一方の第１リング部と一方の第２リング部との接触部、及び、連結された他方の第１リング部と他方の第２リング部との接触部を通る揺動軸の周りで、被吊り下げ体が揺動可能な状態となる。２つの接触部の間に位置し揺動軸に垂直な所定の２つの平面を想定した場合、この２つの平面によって区分される３つの範囲のうち、それぞれ１つの接触部を含む２つの範囲が、それぞれ外側範囲として規定される。この２つの外側範囲は、それぞれ異なる接触部を含む。一方の外側範囲では、物品により覆われていない一方の接触部の周囲がフレームによって覆われる。すなわち、一方の外側範囲では、物品とフレームとによって、一方の接触部の周囲が覆われる。これにより、一方の外側範囲から接近する物体に対して一方の接触部が保護されるため、一方の接触部に不要な外力が作用し難くなる。また、他方の外側範囲では、物品により覆われていない他方の接触部の周囲がフレームによって覆われる。すなわち、他方の外側範囲では、物品とフレームとによって、他方の接触部の周囲が覆われる。これにより、他方の外側範囲から接近する物体に対して他方の接触部が保護されるため、他方の接触部に不要な外力が作用し難くなる。
【００２３】
好適に、揺動軸に垂直な方向の１つを縦方向と規定し、揺動軸に平行な方向を横方向と規定し、縦方向及び横方向に垂直な方向を前後方向と規定した場合に、被吊り下げ体は、前後方向における少なくとも前側から目視可能であってよく、フレームは、横方向における左側及び右側から被吊り下げ体を覆ってよい。
これにより、前後方向における少なくとも前側から被吊り下げ体を目視することが可能になる一方、横方向における左側や右側から接近する物体に対して被吊り下げ体が保護されるため、被吊り下げ体自身や、被吊り下げ体と吊り下げ部との２つの接触部に不要な外力が作用し難くなる。
【００２４】
好適に、フレームは、縦方向における上側及び下側から被吊り下げ体を覆ってよい。
これにより、縦方向における上側や下側から接近する物体に対して被吊り下げ体が保護されるため、被吊り下げ体自身や、被吊り下げ体と吊り下げ部との２つの接触部に不要な外力が作用し難くなる。
【００２５】
好適に、フレームは、第２リング部を通り揺動軸に垂直な任意の平面上において、物品により覆われていない第２リング部の周囲を覆ってよい。
これにより、揺動軸に垂直な方向から接近する物体に対して第２リング部が保護されるため、第２リング部に不要な外力が作用し難くなる。
【００２６】
好適に、フレームは、第１リング部を通り揺動軸に垂直な任意の平面上において、物品により覆われていない第１リング部の周囲を覆ってよい。
これにより、揺動軸に垂直な方向から接近する物体に対して第２リング部が保護されるため、第２リング部自身や、第１リング部と第２リング部との接触部に不要な外力が作用し難くなる。
【００２７】
好適に、第２リング部は、接触部を覆ったフレームの内面に設けられていてよい。
これにより、フレームによる第２リング部の支持と、フレームによる接触部の保護とが簡易な構造で実現される。
【００２８】
好適に、フレームは、物品に固定された基部と、接触部を覆い、基部に着脱可能に固定された着脱部とを含んでよい。吊り下げ部は、基部又は着脱部に設けられていてよい。
これにより、着脱部や被吊り下げ体を交換したり補修したりすることが可能になる。
【００２９】
好適に、フレームは、被吊り下げ体の一部を外側に露出させる開口部を持ってよい。
これにより、揺動する被吊り下げ体の一部を開口部において目視し易くなる。
【００３０】
好適に、開口部の縁は、接触部を覆うフレームの内面側において突出していてよい。
これにより、開口部側から見て被吊り下げ体と吊り下げ部との接触部が開口部の縁により覆われるため、開口部側から接近する物体に対して接触部が保護され易くなる。
【００３１】
好適に、フレームは、少なくとも一部が透明であってよい。被吊り下げ体の少なくとも一部は、フレームの透明な部分を介して目視可能であってよい。
これにより、被吊り下げ体の目視を妨げることなく、フレームが被吊り下げ体を覆う範囲を広げ易くなる。
【００３２】
フレームの一部が透明である場合、例えばフレームは、物品により覆われていない被吊り下げ体の周囲を覆ってよい。
これにより、被吊り下げ体の目視を妨げることなく、外部より接近する物体から被吊り下げ体が保護される。
【００３３】
本開示の第２の側面は、上記第１の側面に係る装飾用部品を備えた物品に関する。
好適に、この物品は、眼鏡、腕時計、置時計、印鑑、かばん、財布、文房具、鍵、スマートフォン、オルゴール、おもちゃ、楽器又は運動用具であってよい。
【発明の効果】
【００３４】
本開示によれば、宝石類などを吊り下げて揺動させる機構に不要な外力を作用させ難くすることができる装飾用部品と、そのような装飾用部品を備えた物品を提供できる。
【図面の簡単な説明】
【００３５】
【図１】図１は、第１実施形態に係るペンダントトップの一例を示す正面図である。
【図２】図２は、図１に示すペンダントトップの背面図である。
【図３】図３は、図１に示すペンダントトップの側面図である。
【図４】図４は、ペンダントトップに配される台座部を、宝石が保持されていない状態で、宝石を保持する背面（裏面）側から見たときの模式図である。
【図５】図５は、ペンダントトップに配されるフレーム部（保護部材）を示す断面図である。
【図６】図６は、フレーム部のフレーム側係合リング部に対して台座部の台座側係合リング部が係合している状態を模式的に説明する説明図である。
【図７】図７は、図１に示すペンダントトップが胸元に吊り下げられている状態を模式的に示す模式図である。
【図８】図８は、第１実施形態の一変形例におけるフレーム部（保護部材）を示す断面図である。
【図９】図９は、第１実施形態の他の変形例を示す正面図である。
【図１０】図１０は、第１実施形態の更に他の変形例を示す正面図である。
【図１１】図１１は、第２実施形態に係るペンダントトップの一例を示す正面図である。
【図１２】図１２は、図１１に示すペンダントトップの側面図である。
【図１３】図１３は、第３実施形態に係るペンダントトップの一例を示す正面図である。
【図１４】図１４は、図１３に示すペンダントトップの側面図である。
【図１５】図１５は、ペンダントトップのフレーム部に保護部材が固定されている部分を横方向の内側から見たときの拡大図である。
【図１６】図１６は、第４実施形態に係る指輪の一例を示す正面図である。
【図１７】図１７は、指輪に用いられる台座部を示す模式斜視図である。
【図１８】図１８は、指輪の要部を示す模式図である。
【図１９】図１９は、第５実施形態に係る装飾用部品の一例を示す正面図である。
【図２０】図２０は、図１９に示す装飾用部品の背面図である。
【図２１】図２１は、図１９に示す装飾用部品の正面図中央縦断面図である。
【図２２】図２２は、図２１の断面図において台座部を省略した図である。
【図２３】図２３は、第６実施形態に係る装飾用部品の一例を示す図であり、着脱部が取り外された状態を示す。
【図２４】図２４は、第６実施形態に係る装飾用部品の一例を示す図であり、着脱部が取り付けられた状態を示す。
【図２５】図２５は、第７実施形態に係る装飾用部品の一例を示す図であり、着脱部が取り外された状態を示す。
【図２６】図２６は、第７実施形態に係る装飾用部品の一例を示す図であり、着脱部が取り付けられた状態を示す。
【図２７】図２７は、第８実施形態に係る装飾用部品の一例を示す図であり、着脱部が取り外された状態を示す。
【図２８】図２８は、第８実施形態に係る装飾用部品の一例を示す図であり、着脱部が取り付けられた状態を示す。
【図２９】図２９Ａ〜図２９Ｃは、第９実施形態に係る物品の例を示す図ある。
【図３０】図３０Ａ〜図３０Ｆは、第９実施形態に係る物品の例を示す図ある。
【図３１】図３１Ａ〜図３１Ｄは、第９実施形態に係る物品の例を示す図ある。
【図３２】従来のペンダントトップの正面図である。
【図３３】従来のペンダントトップの側面図である。
【発明を実施するための形態】
【００３６】
以下、本発明の幾つかの実施形態について図面を参照しながら説明する。なお、本発明の実施形態は、以下で説明する各実施形態に限定されるものではなく、実質的に同一な構成を有し、かつ、同様な作用効果を奏する多様なバリエーションも本発明の実施形態に含まれる。
【００３７】
＜第１実施形態＞
図１は、第１実施形態に係るペンダントトップの一例を示す正面図である。図２及び図３は、図１に示すペンダントトップ１の背面図及び側面図である。本実施形態に係るペンダントトップ１は、チェーン５等の紐状部材に取り付けられることにより、身飾品としてのペンダント（又はネックレス）を構成する。
【００３８】
なお、以下のペンダントトップに関する説明では、ペンダントトップの各構成要素の相対的な位置関係を示すために、３つの方向（縦方向、横方向、前後方向）が規定される。縦方向は、後述する揺動軸ＡＸに垂直な方向の１つであり、具体的には、図１及び図２に示すペンダントトップ１おける紙面の縦方向と同じである。横方向は、後述する揺動軸ＡＸに平行な方向であり、具体的には、図１及び図２に示すペンダントトップ１おける紙面の横方向と同じである。前後方向は、縦方向及び横方向に垂直な方向であり、具体的には、図１及び図２に示すペンダントトップ１における紙面に垂直な方向である。ペンダントトップ１をペンダントのチェーン５に取り付けて持ち上げた状態（すなわち、図１及び図２に示す状態）において、縦方向は概ね鉛直方向と平行になり、横方向は概ね水平方向と平行になる。前後方向における前方とは、図１に示すペンダントトップ１の奥から手前に向かう方向であり、前後方向における後方とは、図１に示すペンダントトップ１の手前から奥に向かう方向である。
【００３９】
第１実施形態に係るペンダントトップ１は、例えば図１〜図３において示すように、フレーム部３０と、ダイヤモンドなどの宝石１０が固定保持される台座部２０とを有する。フレーム部３０は、フレーム本体部３１と、フレーム本体部３１に設けられた２つのフレーム側係合リング部３２とを含む。台座部２０は、２つの台座側係合リング部２４を含む。図１及び図２に示すように、一方の台座側係合リング部２４と一方のフレーム側係合リング部３２とが連結され、他方の台座側係合リング部２４と他方のフレーム側係合リング部３２とが連結される。互いに連結された台座側係合リング部２４とフレーム側係合リング部３２とが、接触部Ｏにおいて接触する。
【００４０】
なお、第１実施形態に係るペンダントトップ１において、フレーム本体部３１は「フレーム」とも呼ばれる。宝石１０と台座部２０を含んだ部分は、「被吊り下げ体」とも呼ばれる。２つのフレーム側係合リング部３２を含んだ部分は、「吊り下げ部」とも呼ばれる。台座側係合リング部２４は、「第１リング部」とも呼ばれる。フレーム側係合リング部３２は、「第２リング部」とも呼ばれる。
【００４１】
図１及び図２に示すように、吊り下げ部（２つのフレーム側係合リング部３２）は、被吊り下げ体（宝石１０及び台座部２０）を仮想的な揺動軸ＡＸの周りで揺動可能に吊り下げる。吊り下げ部（２つのフレーム側係合リング部３２）と被吊り下げ体（宝石１０及び台座部２０）とは、揺動軸ＡＸ上に位置する２つの接触部Ｏにおいて接触する。
【００４２】
図１及び図２において、「ＰＬ」は揺動軸ＡＸに垂直な平面を表し、「ＲＥ」は２つの平面ＰＬによって区分される範囲（外側範囲）を表す。２つの平面ＰＬは、フレーム（フレーム本体部３１）に対して規定された平面であり、２つの接触部Ｏの間に位置する。２つの平面ＰＬによって区分される３つの範囲のうち、それぞれ１つの接触部Ｏを含む２つの範囲が、それぞれ外側範囲ＲＥである。２つの外側範囲ＲＥは、２つの平面ＰＬを間に挟んで互いに隔てられている。
【００４３】
フレーム（フレーム本体部３１）は、図１〜図３において示すように、一方の接触部Ｏを含んだ一方の外側範囲ＲＥにおいて、一方の接触部Ｏの周囲を覆う。また、フレーム（フレーム本体部３１）は、他方の接触部Ｏを含んだ他方の外側範囲ＲＥにおいて、他方の接触部Ｏの周囲を覆う。
【００４４】
このように、第１実施形態に係るペンダントトップ１では、吊り下げ部（２つのフレーム側係合リング部３２）によって吊り下げられた被吊り下げ体（宝石１０及び台座部２０）が、仮想的な揺動軸ＡＸの周りで揺動可能な状態となる。この揺動可能な状態において、被吊り下げ体（宝石１０及び台座部２０）と吊り下げ部（２つのフレーム側係合リング部３２）とが、揺動軸ＡＸ上に位置する２つの接触部Ｏにおいて接触する。２つの接触部Ｏの間に位置し揺動軸ＡＸに垂直な所定の２つの平面ＰＬを想定した場合、この２つの平面ＰＬによって区分される３つの範囲のうち、それぞれ１つの接触部Ｏを含む２つの範囲が、それぞれ外側範囲ＲＥとして規定される。この２つの外側範囲ＲＥは、それぞれ異なる接触部Ｏを含む。一方の接触部Ｏを含んだ一方の外側範囲ＲＥでは、フレーム（フレーム本体部３１）によって、一方の接触部Ｏの周囲が覆われる。これにより、一方の外側範囲ＲＥから接近する物体に対して一方の接触部Ｏが保護されるため、一方の接触部Ｏに不要な外力が作用し難くなる。また、他方の接触部Ｏを含んだ他方の外側範囲ＲＥでは、フレーム（フレーム本体部３１）によって、他方の接触部Ｏの周囲が覆われる。これにより、他方の外側範囲ＲＥから接近する物体に対して他方の接触部Ｏが保護されるため、他方の接触部Ｏに不要な外力が作用し難くなる。つまり、第１実施形態に係るペンダントトップ１によれば、２つの外側範囲ＲＥから接近する物体に対して２つの接触部Ｏをそれぞれ保護し、不要な外力がこれらの接触部Ｏに作用し難くすることができる。
【００４５】
また、第１実施形態に係るペンダントトップ１において、被吊り下げ体（宝石１０及び台座部２０）は、前後方向における少なくとも前側から目視可能であり、フレーム（フレーム本体部３１）は、横方向における左側及び右側から被吊り下げ体（宝石１０及び台座部２０）を覆う。
これにより、前後方向における少なくとも前側から被吊り下げ体（宝石１０及び台座部２０）を目視することが可能になる一方、横方向における左側や右側から接近する物体に対して被吊り下げ体（宝石１０及び台座部２０）が保護されるため、被吊り下げ体（宝石１０及び台座部２０）自身や、被吊り下げ体（宝石１０及び台座部２０）と吊り下げ部（２つのフレーム側係合リング部３２）との２つの接触部Ｏに不要な外力が作用し難くなる。
【００４６】
更に、第１実施形態に係るペンダントトップ１において、フレーム（フレーム本体部３１）は、縦方向における上側及び下側から被吊り下げ体（宝石１０及び台座部２０）を覆う。
これにより、縦方向における上側や下側から接近する物体に対して被吊り下げ体（宝石１０及び台座部２０）が保護されるため、被吊り下げ体（宝石１０及び台座部２０）自身や、被吊り下げ体（宝石１０及び台座部２０）と吊り下げ部（２つのフレーム側係合リング部３２）との２つの接触部Ｏに不要な外力が作用し難くなる。
【００４７】
また、第１実施形態に係るペンダントトップ１において、フレーム（フレーム本体部３１）は、第２リング部（フレーム側係合リング部３２）を通り揺動軸ＡＸに垂直な任意の平面上において第２リング部（フレーム側係合リング部３２）の周囲を覆う。
これにより、揺動軸ＡＸに垂直な任意の方向から接近する物体に対して第２リング部（フレーム側係合リング部３２）が保護されるため、第２リング部（フレーム側係合リング部３２）に不要な外力が作用し難くなる。
【００４８】
しかも、第１実施形態に係るペンダントトップ１において、フレーム（フレーム本体部３１）は、第１リング部（台座側係合リング部２４）を通り揺動軸ＡＸに垂直な任意の平面上において第１リング部（台座側係合リング部２４）の周囲を覆う。
これにより、揺動軸ＡＸに垂直な任意の方向から接近する物体に対して第１リング部（台座側係合リング部２４）が保護されるため、第１リング部（台座側係合リング部２４）自身や、第１リング部（台座側係合リング部２４）と第２リング部（フレーム側係合リング部３２）との接触部Ｏに不要な外力が作用し難くなる。
【００４９】
次に、第１実施形態に係るペンダントトップ１のより具体的な構成について説明する。
【００５０】
（台座部２０）
台座部２０は、図４において示すように、宝石１０が載置される台座本体部２１と、台座本体部２１に突設され、宝石１０を固定する複数の爪部２２と、台座本体部２１の左右の側縁部（側端部）から台座部２０の幅方向の外側に向けて延出する左右のアーム部２３と、左右のアーム部２３の先端部に配される左右の台座側係合リング部２４とを有する。
【００５１】
例えば、台座部２０は、金、プラチナ、シルバー等の貴金属製の板材にプレス加工（プレス打ち抜き加工）等を行うことによって、単一の部材としてその全体が一体的に形成されている。この場合、台座部２０の材質や作製方法は特に限定されない。また、台座本体部２１及び爪部２２の形状や、爪部２２の配設個数なども限定されるものではなく、任意に変更することが可能である。
【００５２】
図４に示すように、台座本体部２１の中央部には円形の開口部２１ａが形成されており、宝石１０は、そのキューレット部を台座本体部２１の開口部２１ａから後方に突き出して台座部２０に固定保持される。台座部２０における左右のアーム部２３は、台座本体部２１と左右の台座側係合リング部２４とを連結する連結部分である。左右のアーム部２３は、互いに左右対称的な形状を有し、台座本体部２１から横方向の外側に延出するとともに前方に傾斜して配されている。このような左右のアーム部２３は、ペンダントトップ１のデザイン等に応じて連結長さを変更することが可能であり、また必要に応じて、左右のアーム部２３を設けずに台座部２０を形成することも可能である。
【００５３】
台座部２０における左右の台座側係合リング部２４は環状に形成されており、その中央部には、円形状の中央開口部２４ａが設けられている。左右の台座側係合リング部２４は、ペンダントトップ１の正面視において両者の間に宝石１０が配されるようにして、台座本体部２１の左右側方の互いに対応する位置に設けられている。本実施形態において、左右の台座側係合リング部２４は、左右のアーム部２３を介して台座本体部２１と一体に形成されている。なお本実施形態において、左右の台座側係合リング部２４は、台座本体部２１と別部材として形成されて、左右のアーム部２３を介して接続されていても良い。
【００５４】
このような左右の環状の台座側係合リング部２４と、フレーム部３０の後述するフレーム側係合リング部３２とは、互いに相手方の中央開口部を貫通するとともに内周縁部同士を接触させるようにして相互に係合する。また、台座側係合リング部２４は、台座側係合リング部２４の周方向に直交する断面の形状が、円形ではない異形断面形状を呈するように形成されている。具体的には、台座側係合リング部２４は、例えば図６に示すように、台座側係合リング部２４の内周側の先端部が尖るように、周方向に直交する断面の形状が内周端縁に向けて次第に細くなる先細の形状を有して形成されている。
【００５５】
これにより、台座側係合リング部２４を、フレーム部３０のフレーム側係合リング部３２に連結したときに、台座側係合リング部２４とフレーム側係合リング部３２が互いに交差して接触する接触部Ｏにおける台座側係合リング部２４の接触面積を小さくすることができる。その結果、フレーム部３０に対して台座部２０が前後方向に揺動する際に、フレーム側係合リング部３２に対する台座側係合リング部２４の摩擦抵抗を小さく抑えることができるため、台座部２０及び宝石１０をフレーム部３０に対して細かく円滑に揺動させることができる。更に、その台座部２０及び宝石１０の揺動運動を停止させずに比較的長く続けさせて、それらの揺動時間をより長く延ばすことが可能となる。なお本実施形態において、台座側係合リング部２４の断面形状は限定されるものではなく、台座側係合リング部２４の断面を円形に形成することや、その他の形状に形成することも可能である。
【００５６】
台座部２０は、宝石１０及び台座部２０が台座側係合リング部２４及びフレーム側係合リング部３２を介してフレーム部３０に支持されるときに、宝石１０のテーブル表面が斜め上方を向くとともに、ペンダントトップ１の側面視において、台座側係合リング部２４とフレーム側係合リング部３２との接触部Ｏの位置が、台座部２０及び宝石１０の全体の重心位置よりも上方に配されるように、台座部２０に対する台座側係合リング部２４の位置及び向きが設定されている。このとき、台座部２０は、台座側係合リング部２４の中央開口部２４ａが前後方向に向いた姿勢でフレーム部３０に支持される。
【００５７】
またこの場合、ペンダントトップ１の側面視において、台座部２０は、例えば宝石部１０のテーブル表面が縦方向に平行となるように宝石１０を正面に向かせたときに、台座部２０及び宝石１０の全体の重心位置が、台座側係合リング部２４とフレーム側係合リング部３２との接触部Ｏの位置よりも背面側（後方）に配されるように形成される。また、左右の台座側係合リング部２４は、宝石１０をそのテーブル表面が縦方向に平行となるように正面に向かせたときに、その中央開口部２４ａが斜め下方を向くように形成される。なお、縦方向が鉛直方向と平行になるようにフレーム部３０の姿勢が保持された状態（すなわち、図１及び図２に示す姿勢の状態）において、宝石１０のテーブル表面が前方の斜め上方を向いて傾斜するように台座部２０が形成されることが好ましい。例えば、鉛直方向に対する宝石１０のテーブル表面の傾斜角度αは、５°以上４５°以下の角度、好ましくは１０°以上２０°以下の角度となるように台座部２０が形成される。
【００５８】
（フレーム本体部３１）
フレーム部３０は、ペンダントトップ１の正面視において、台座部２０及び宝石１０の周りを囲むように配されるとともに保護部材として設けられるフレーム本体部３１と、フレーム本体部３１の内面に固定される左右のフレーム側係合リング部３２と、フレーム本体部３１の上端部に上方に突出するように設けられ、ペンダントのチェーン５に連結されるチェーン連結部３３（バチカンとも言う）とを有する。この場合、チェーン連結部３３は、レーザー等によるロウ付け（溶着）によってフレーム本体部３１に固定されている。
【００５９】
フレーム本体部３１は、ペンダントトップ１の正面視において、台座部２０及び宝石１０の全体を外側から取り囲むとともに、台座部２０及び宝石１０が揺動しても接触しないように、台座部２０に保持された宝石１０から外側に離間して宝石１０とフレーム本体部３１との間に隙間が形成されるドーナツ状の形状を有する。この場合、フレーム本体部３１は、正面側から見ても、背面側から見ても、同じドーナツ状の形状を呈する表裏対称的な形状を有する。
【００６０】
更に、フレーム本体部３１は、ペンダントトップ１の側面視において、宝石１０の最も背面側に配される裏面側先端部（すなわち、キューレット部）１１が、フレーム本体部３１の裏面位置よりも表面側に位置するような前後方向の厚さを有する。言い換えると、フレーム本体部３１の裏面は、図３に示した状態において、ペンダントトップ１の表裏方向（前後方向）に関して、宝石１０のキューレット部１１の位置よりも更に裏側の位置に配されている。これにより、ペンダントトップ１が後述するように身に着けられときに（図７を参照）、宝石１０を、衣服等からペンダントトップ１の表面側に離れた位置に安定して保持することができる。このため、宝石１０の細かな揺動が衣服等への接触によって阻害されることを効果的に防止することができる。
【００６１】
また、フレーム本体部３１は、例えば図５にフレーム本体部３１の横方向における中央部を、横方向に直交する面で切断したときの断面図を示すように、所定の厚さを有して形成されている。これによって、フレーム本体部３１は、適切な強度を確保している。また、フレーム本体部３１は、フレーム本体部３１内に内部空間（収容室）３４が形成される中空の形状を有する。
【００６２】
このフレーム本体部３１は、フレーム部３０の一部を構成する部分であるとともに、フレーム側係合リング部３２と台座側係合リング部２４とを外側から囲んで保護する保護部材３１でもある。言い換えると、フレーム側係合リング部３２及び台座側係合リング部２４を保護する保護部材３１が、台座部２０及び宝石１０を支持するフレーム本体部３１として形成されている。
【００６３】
特にこの場合、フレーム本体部（保護部材）３１は、左側で相互に連結される一方のフレーム側係合リング部３２及び台座側係合リング部２４と、右側で相互に連結される他方のフレーム側係合リング部３２及び台座側係合リング部２４とを同時に保護することができる単一の部材として形成されている。
【００６４】
従って、フレーム本体部（保護部材）３１の内部空間３４は、フレーム本体部３１内に、左右のそれぞれのフレーム側係合リング部３２及び台座側係合リング部２４を相互に係合させた状態で収容可能で、且つ、台座部２０及び宝石１０が揺動してもフレーム側係合リング部３２及び台座側係合リング部２４が干渉しない（ぶつからない）大きさを有する。言い換えると、フレーム本体部（保護部材）３１の内部空間３４が、左右一対のフレーム側係合リング部３２及び台座側係合リング部２４を相互に係合させた状態で内部に収容する収容室３４として形成されている。
【００６５】
また、フレーム本体部３１は、その周方向に直交する断面が全周において、前後方向に長い略Ｃ字状を呈する一定の形状を有しており、フレーム本体部３１の内周縁部には、台座部２０及び宝石１０に向くように開口する内周側間隙３５が形成されている。この場合、内周側間隙３５は、リング状のフレーム本体部３１の内周縁部に、フレーム本体部３１の周方向全体に亘って（全周に亘って）形成されている。フレーム本体部３１の内周側間隙３５の一部は、台座部２０の左右のアーム部２３を挿通させる挿通開口部となる。また、フレーム側係合リング部３２は、フレーム本体部３１の湾曲状の内面の一部に接した状態で固定される。なお本実施形態では、例えば図８にフレーム本体部３１の変形例を示すように、フレーム本体部３１ｂの内周側間隙３５ｂは、台座部２０及び宝石１０の揺動が確保される所定の範囲のみに、台座部２０及び宝石１０に向くように開口して形成されていても良い。
【００６６】
また、フレーム本体部３１の内周側間隙３５は、内周側間隙３５の前後方向における中心位置が、フレーム本体部３１の前後方向における中心位置と一致するように設けられているが、本実施形態において、内周側間隙３５は、内周側間隙３５の前後方向における中心位置が、フレーム本体部３１の前後方向における中心位置に対して、前方又は後方にずれて設けられていても良い。
【００６７】
このようなフレーム本体部（保護部材）３１では、フレーム本体部３１の内面に固定される環状のフレーム側係合リング部３２と、そのフレーム側係合リング部３２に連結して係合する台座側係合リング部２４とを連結した状態でフレーム本体部３１の上記収容室３４内に配置して、これらの係合リング部３２，２４をフレーム本体部（保護部材）３１の内側に収容することにより、連結状態にあるフレーム側係合リング部３２と台座側係合リング部２４の少なくとも正面（前面）、背面（後面）、上面、下面、及び幅方向（横方向）の外側面を外側から覆って隠すようにして、フレーム側係合リング部３２及び台座側係合リング部２４を全体的に保護することができる。
【００６８】
また、フレーム本体部３１の内周側間隙３５には、台座部２０の左右のアーム部２３が挿通され、内周側間隙３５の一部がアーム部２３の挿通開口部として形成される。この場合、フレーム本体部３１の内周側間隙３５は、ペンダントの通常の使用において、フレーム部３０に対して台座部２０及び宝石１０が例えば前後方向に２０°程度の角度範囲で揺動しても（すなわち、台座部２０及び宝石１０が、図３の状態から前方と後方とに向けてそれぞれ１０°程度の角度範囲で揺動しても）、左右のアーム部２３が干渉し難い（又は干渉しない）大きさ（間隔）で形成されている。
【００６９】
更に、フレーム本体部３１の内周側間隙３５は、フレーム部３０に対して台座部２０及び宝石１０が所定の角度で適切に揺動するように台座部２０及び宝石１０の揺動範囲を規制する大きさで形成されている。すなわち、台座部２０及び宝石１０の揺動がある程度よりも大きくなると、台座部２０及び宝石１０がフレーム本体部３１（後述するフロントパーツ３６又はリアパーツ３７）に当接し、それによって、台座部２０及び宝石１０の揺動範囲が規制される。これにより、台座部２０及び宝石１０の揺動範囲を、ペンダントトップ１を正面から見たときに綺麗に光って見える範囲に収めることができるため、宝石１０の揺動による装飾効果をより有効に得ることが可能となる。
【００７０】
更に、ドーナツ状のフレーム本体部３１は、フレーム側係合リング部３２及び台座側係合リング部２４の正面を保護するフロントパーツ３６と、フレーム側係合リング部３２及び台座側係合リング部２４の背面を保護するリアパーツ３７とを有する。この場合、フレーム本体部３１のフロントパーツ３６とリアパーツ３７は表裏対称的な形状を有する。このようなフロントパーツ３６とリアパーツ３７とは、レーザー等によるロウ付けによって相互に固定されている。なお本実施形態において、フロントパーツ３６とリアパーツ３７を相互に固定する手段は特に限定されない。
【００７１】
また、フレーム本体部３１のフロントパーツ３６とリアパーツ３７は、金、プラチナ、シルバー等の貴金属製の板材にプレス加工（プレス打ち抜き加工）等を行うことによって、例えば０．５ｍｍ以下（好ましくは０．１ｍｍ以下）の厚さを有するように作製されている。
【００７２】
このようにフロントパーツ３６とリアパーツ３７の２つの部品を用いて中空形状のフレーム本体部３１を形成することにより、左右のフレーム側係合リング部３２に左右の台座側係合リング部２４をそれぞれ繋ぎ合わせて係合し、その後、連結された左右のフレーム側係合リング部３２及び台座側係合リング部２４を包むようにしてフロントパーツ３６とリアパーツ３７を組み合わせて固定することが可能となる。それによって、フレーム本体部３１の組み立てを簡単に行うことができるとともに、連結された左右のフレーム側係合リング部３２及び台座側係合リング部２４を、フレーム本体部（保護部材）３１内に、特にフレーム本体部３１の上述した収容室３４内に、安定して収容することができる。
【００７３】
また、フロントパーツ３６とリアパーツ３７とが表裏対称的な形状を有することにより、フロントパーツ３６及びリアパーツ３７として、ドーナツ状の一定の形状を有する同じ部品を用いることができる。それにより、フロントパーツ３６及びリアパーツ３７を安価に作製することができる。また、フロントパーツ３６とリアパーツ３７とを取り間違えることもないため、フロントパーツ３６とリアパーツ３７を組み合わせて固定する作業の煩雑化を防いで、作業の効率化を図ることができる。
【００７４】
なお、保護部材となるフレーム本体部３１のフロントパーツ３６及びリアパーツ３７の形状及び材質は、本実施形態において例示した形状及び材質に限定されるものではなく、例えば後述する第２実施形態でも説明するように、任意に変更することが可能である。
【００７５】
（フレーム側係合リング部３２）
左右のフレーム側係合リング部３２は、例えば、断面が円形を呈する金属製の線状部材を所定の長さに切断し、更に切断した線状部材をリング状に曲げることにより形成される。また、台座側係合リング部２４が連結される前のフレーム側係合リング部３２は、台座側係合リング部２４を挿入可能な間隙を有する丸カンの形状を有する。
【００７６】
このため、フレーム側係合リング部３２に台座側係合リング部２４を連結する場合には、フレーム本体部３１のフロントパーツ３６とリアパーツ３７とが相互に固定される前に、先ず、丸カン状のフレーム側係合リング部３２の間隙に台座側係合リング部２４を挿入し、フレーム側係合リング部３２を台座側係合リング部２４の中央開口部２４ａに挿通させて交差させる。次に、フレーム側係合リング部３２が台座側係合リング部２４の中央開口部２４ａに挿通している状態で、フレーム側係合リング部３２をその両端部同士を突き合わせて前記間隙がなくなるように押圧して環状に塑性変形させる（加締める）。
【００７７】
これによって、左右の環状の台座側係合リング部２４を、左右のフレーム側係合リング部３２に、それぞれ容易に連結して係合させることができる。このとき、台座側係合リング部２４とフレーム側係合リング部３２とは内周縁部同士を接触させるようにして繋ぎ合わせられる。更に、フレーム側係合リング部３２を上述のように塑性変形させた後、必要に応じて、フレーム側係合リング部３２の突き合わされた端部同士をロウ付けによって固定することも可能である。
【００７８】
また、フレーム側係合リング部３２は、周方向に直交する断面の形状が円形を呈するように形成されている。本実施形態において、フレーム側係合リング部３２の断面形状は特に限定されるものではなく、例えば台座側係合リング部２４のような先細の形状でもよいし、その他の形状を採用することも可能である。
【００７９】
このような左右のフレーム側係合リング部３２は、フレーム本体部３１のフロントパーツ３６の内面（内壁面）における所定の位置に、フレーム側係合リング部３２の中央開口部が横方向を向くように、ペンダントトップ１の正面視（図１）において縦方向に平行な姿勢でレーザー等によるロウ付けによって固定されている。左右のフレーム側係合リング部３２がフレーム本体部３１のフロントパーツ３６に固定されることにより、台座部２０と宝石１０とを、ペンダントトップ１のより正面側の位置に安定して保持できるため、宝石１０をより目立たせることができる。
【００８０】
なお、本実施形態において、フレーム側係合リング部３２をフレーム本体部３１に固定する手段は限定されず、ロウ付け以外の固定手段を採用することが可能である。また、図１及び図２の例において、フレーム側係合リング部３２は縦方向に平行な姿勢でフレーム本体部３１に固定されているが、本実施形態において、フレーム本体部３１に固定するフレーム側係合リング部３２の向きや姿勢は特に限定されるものではない。例えば、後述する図１０のペンダントトップ１ｃの正面図において示すように、フレーム側係合リング部３２ｃは、縦方向に対して傾いた姿勢でフレーム本体部３１に固定してもよい。更に、フレーム側係合リング部３２は、フレーム本体部３１と別部材で形成されるとともに、フレーム本体部３１に固定手段を用いて固定されるものに限定されない。本実施形態の他の例では、フレーム側係合リング部３２とフレーム本体部３１とを単一の部材として一体に形成することも可能である。
【００８１】
更に本実施形態において、左右のフレーム側係合リング部３２は、フレーム本体部３１のフロントパーツ３６ではなく、リアパーツ３７の内面に固定されていても良い。また、フレーム側係合リング部３２のサイズを大きくして、フレーム側係合リング部３２をフロントパーツ３６及びリアパーツ３７の両方の内面に固定することや、例えばフレーム側係合リング部３２に固定位置調整用の突片部等を設けてフロントパーツ３６に対する固定位置を調整することも可能である。更に、上述したようなフレーム側係合リング部３２に台座側係合リング部２４を連結させる作業は、フレーム側係合リング部３２をフレーム本体部３１に固定した後（フロントパーツ３６とリアパーツ３７とを固定する前）に行っても良いし、フレーム側係合リング部３２がフレーム本体部３１に固定される前に行っても良い。
【００８２】
（まとめ）
以上のようなフレーム本体部（保護部材）３１を備えるフレーム部３０と、宝石１０を保持した台座部２０とを有するペンダントトップ１では、台座部２０が、フレーム部３０に対し、台座側係合リング部２４及びフレーム側係合リング部３２を介して支持されている。
【００８３】
このため、このペンダントトップ１を備えるペンダントを、例えば図７に示すように首からぶら下げて使用者６が身に着けた場合、ペンダントトップ１を動かしたときや揺らしたとき等に、台座部２０及び宝石１０を、フレーム部３０に吊り下げられた状態で前後方向に小さく連続的に揺動させることができる。これにより、宝石をより美しく輝かせることができる。この場合、台座部２０及び宝石１０は、ペンダントトップ１の側面視において、台座側係合リング部２４とフレーム側係合リング部３２の接触部Ｏの位置を中心に前後方向に小さく揺動する。また、台座部２０及び宝石１０が揺動する際に、上記接触部Ｏの位置も、フレーム側係合リング部３２の内周縁に沿って前後に動くこともある。
【００８４】
特に、ペンダントトップ１の正面視において、台座部２０及び宝石１０は、フレーム部３０に形成された円形の中央開口部の略中心部において揺動する。このため、シンプルなドーナツ状の形状を有するフレーム部３０がすっきりと綺麗に見える。更に、フレーム部３０に対して宝石１０が宙に浮いた状態に見えるとともに、台座部２０及び宝石１０の揺動を、その周りを囲むフレーム部３０に対して引き立つように効果的に見せることができる。これにより、台座部２０に固定された宝石１０の輝きをより美しく見せることができるとともに、ペンダントトップ１に今までにない斬新なイメージ（美感）を与えることができる。
【００８５】
また、ドーナツ状のフレーム部３０によって、ペンダントの使用時に台座部２０及び宝石１０が使用者６の着衣する衣服やマフラーなどに直接接することを防止するため、台座部２０及び宝石１０の揺動可能な状態が安定して確保される。特に、フレーム本体部３１は、上述したように、フレーム本体部３１の最も背面側に配される裏面が、宝石１０のキューレット部１１よりも更に後方（背面側）に位置するように、前後方向に厚く形成されている。これにより、宝石１０のキューレット部１１は、図３に示した状態だけでなく、また図７に示した状態においても、フレーム本体部３１の裏面よりも更に後方に突出することはなく、宝石１０は、使用者６が着衣した衣服やマフラーなどから、ペンダントトップ１の表面側に離れた位置に保持される。このため、台座部２０及び宝石１０がフレーム本体部３１の内周側間隙３５の揺動範囲内で揺動するときに、台座部２０及び宝石１０の微小な揺動が、衣服やマフラーなどへの接触によって阻害されることを効果的に防止し、台座部２０及び宝石１０の揺動を安定して持続させることができる。
【００８６】
また、例えば図３にしたようにフレーム本体部３１が鉛直方向に沿って保持される場合だけでなく、例えば図７に示したようにフレーム本体部３１が使用者６の胸元で鉛直方向に対して少し傾いて保持される場合等においても、宝石１０のテーブル表面が斜め上方を向くようにして宝石１０と台座部２０がフレーム部３０に支持される。このため、本実施形態に係るペンダントトップ１は、ペンダントを着用した使用者６の胸元で、宝石１０のテーブル表面が他人の目線に入り易いようにして宝石１０をより効果的に輝かせることができる。
【００８７】
更に、本実施形態に係るペンダントトップ１では、左右のフレーム側係合リング部３２及び台座側係合リング部２４が、小さくて繊細に形成されているために変形に対して弱い性質を備えているものの、保護部材となるフレーム本体部３１によって、左右のフレーム側係合リング部３２の全部と左右の台座側係合リング部２４の全部とが覆い隠されて保護されている（言い換えると、フレーム本体部３１の収容室３４内に左右のフレーム側係合リング部３２の全部と左右の台座側係合リング部２４の全部とが収容されて保護されている）。これにより、台座側係合リング部２４及びフレーム側係合リング部３２が外部に露出しなくなるため、ペンダントとしての通常の使用において、台座側係合リング部２４及びフレーム側係合リング部３２が、別の物体に直接衝突することや偶発的に直接強く押圧されることを防止できる。
【００８８】
従って、本実施形態に係るペンダントトップ１では、台座側係合リング部２４及びフレーム側係合リング部３２が、外部から意図しない外力（荷重）を直接受けることがないため、そのような外力に起因して台座側係合リング部２４及びフレーム側係合リング部３２に変形や破損が生じることを効果的に防止できる。従って、宝石１０が細かく円滑に揺動できる状態を長期に亘って安定して維持できる。
【００８９】
更に、台座側係合リング部２４及びフレーム側係合リング部３２がフレーム本体部（保護部材）３１によって保護されることにより、髪の毛や糸などが、台座側係合リング部２４やフレーム側係合リング部３２に絡み付くことも防止できる。それにより、ペンダントの取り扱い性を向上させることができるとともに、糸などの絡み付きによって宝石１０の微小な揺動が阻害されることも防止できる。
【００９０】
特に、台座側係合リング部２４及びフレーム側係合リング部３２がフレーム本体部３１によって覆い隠されて外部から見えないため、例えばペンダントトップ１の外観品質を損なうことなくフレーム側係合リング部３２を更に太くすることも可能となる。それによって、フレーム本体部３１に対するフレーム側係合リング部３２の固着強度を高めることや、ペンダントトップ１の耐久性を高めること等が可能となる。
【００９１】
しかも、台座側係合リング部２４及びフレーム側係合リング部３２が保護部材３１によって覆い隠されて見えなくされているとともに、それらを覆って保護する保護部材３１がフレーム部３０の貴金属製フレーム本体部３１として形成されている。これにより、従来のペンダントトップには存在しなかったリング部保護用の部材が新たに設けられているにも関わらず、ペンダントトップ１の全体の質感を向上させて、外観品質を高めることができる。また、保護部材となるフレーム本体部３１が、上述のように厚さを薄くして且つ中空の形状に形成されていることにより、フレーム本体部３１に用いられる原材料の量を少なくして、フレーム部３０の製造コストを大幅に低減させることができる。例えばフレーム本体部が中実に形成される場合に比べて、フレーム本体部３１の製造コストを半分以下に削減することが可能である。
【００９２】
更に、台座側係合リング部２４及びフレーム側係合リング部３２がフレーム本体部（保護部材）３１によって覆い隠されているため、台座側係合リング部２４及びフレーム側係合リング部３２の存在がペンダントトップ１のデザインに与える影響を小さくし、デザインの自由度を高めることが可能となる。また、フレーム本体部（保護部材）３１に様々なデザインを採用することが可能となる。
【００９３】
このため、例えばフレーム本体部（保護部材）の形状を変えた変形例に係るペンダントトップ１ａを図９に例示するように、フレーム本体部（保護部材）３１ａの形状を例えばハート形のような枠状の形状に形成することや、又は、ひし形のようなその他の枠状の形状、若しくは、花や動物を模したような形状等のように、任意の形状に形成することができる。この場合、フレーム本体部（保護部材）の大きさや厚さ、フレーム側係合リング部の大きさなども任意に変更することが可能である。
【００９４】
その結果、ペンダントトップに、例えば可愛らしい印象や洗練された印象などを付与して、ペンダントとしての付加価値を更に高めることも可能となる。なお、図９のペンダントトップ１ａにおいて、フレーム本体部（保護部材）３１ａの形状以外については、上述した図１〜図８に示すペンダントトップ１と同様に形成されている。このため、図９や後述する別の変形例に係る図１０において、上述と同じ構成を有する部分又は部材は同じ符号を用いて表されている。
【００９５】
なお、上述したペンダントトップの例では、フレーム部３０の左右のフレーム側係合リング部３２の全体と、台座部２０の左右の台座側係合リング部２４の全体とが、保護部材となるフレーム本体部３１によって覆い隠されて保護されている。しかし、本実施形態では、少なくとも、フレーム部３０の左右のフレーム側係合リング部３２の全体と、左右の台座側係合リング部２４におけるフレーム側係合リング部３２との連結部分とがフレーム本体部３１によって保護されていれば良い。
【００９６】
例えば図１０に示す変形例のペンダントトップ１ｃでは、左右の台座側係合リング部２４ｃが図１〜図２に示すペンダントトップ１よりも大きく形成されて、左右の台座側係合リング部２４ｃにおけるフレーム側係合リング部３２ｃとの連結部分以外のリング部分が一部露出している。また同時に、フレーム側係合リング部３２ｃの全体と、台座側係合リング部２４ｃの少なくとも上記連結部分とが、フレーム本体部３１によって覆い隠されて保護されている。
【００９７】
このような変形例に係るペンダントトップ１ｃであっても、意図しない外力（荷重）に起因して台座側係合リング部２４ｃ及びフレーム側係合リング部３２ｃに変形や破損が生じることを防止して、宝石１０の微小な揺動可能な状態を長期に亘って安定して維持できる。また、髪の毛や糸などが、台座側係合リング部２４ｃやフレーム側係合リング部３２ｃに絡み付き難くすることができる。
【００９８】
＜第２実施形態＞
図１１は、第２実施形態に係るペンダントトップの一例を示す正面図である。図１２は、図１１に示すペンダントトップ２の側面図である。第２実施形態に係るペンダントトップ２も、第１実施形態と同様に、身飾品としてのペンダント（又はネックレス）を構成する。
【００９９】
図１１に示すペンダントトップ２について規定される３つの方向（縦方向、横方向、前後方向）は、図１に示すペンダントトップ１と同様に、図１１の紙面の縦方向、横方向及び前後方向（表裏方向）と一致する。
【０１００】
第２実施形態に係るペンダントトップ２は、例えば図１１〜図１２において示すように、フレーム部４０と、ダイヤモンドなどの宝石１０が固定保持される台座部２０とを有する。フレーム部４０は、フレーム本体部４１と、フレーム本体部４１に設けられた２つのフレーム側係合リング部４２とを含む。台座部２０は、２つの台座側係合リング部２４を含む。図１１に示すように、一方の台座側係合リング部２４と一方のフレーム側係合リング部４２とが連結され、他方の台座側係合リング部２４と他方のフレーム側係合リング部４２とが連結される。互いに連結された台座側係合リング部２４とフレーム側係合リング部４２とが、接触部Ｏにおいて接触する。
【０１０１】
なお、第２実施形態に係るペンダントトップ２は、例えば第１実施形態に係る前述のペンダントトップ１に対して、フレーム部４０の形態が異なるものの、台座部２０及び宝石１０は、第１実施形態に係る前述のペンダントトップ１と同様に形成されている。従って、第２実施形態に係るペンダントトップに関する説明や図面において、前述の第１実施形態のペンダントトップ１と実質的に同じ構成を有する部分や部材については同じ符号を用いて表すこととし、それらの詳細な説明は省略する。後述する第３〜第８実施形態についても同様である。
【０１０２】
第２実施形態に係るペンダントトップ２において、フレーム本体部４１は「フレーム」とも呼ばれる。宝石１０と台座部２０を含んだ部分は、「被吊り下げ体」とも呼ばれる。２つのフレーム側係合リング部４２を含んだ部分は、「吊り下げ部」とも呼ばれる。台座側係合リング部２４は、「第１リング部」とも呼ばれる。フレーム側係合リング部４２は、「第２リング部」とも呼ばれる。
【０１０３】
第２実施形態に係るペンダントトップ２における「フレーム」、「被吊り下げ体」及び「吊り下げ部」の概略的な構成は、既に説明した第１実施形態に係るペンダントトップ（１，１ａ，１ｃ）と同様である。従って、第２実施形態に係るペンダントトップ２においても、２つの外側範囲ＲＥから接近する物体に対して２つの接触部Ｏをそれぞれ保護し、不要な外力がこれらの接触部Ｏに作用し難くすることができる。
【０１０４】
また、第２実施形態に係るペンダントトップ２において、フレーム（フレーム本体部４１）は、第２リング部（フレーム側係合リング部４２）を通り揺動軸ＡＸに垂直な任意の平面上において第２リング部（フレーム側係合リング部４２）の周囲を覆う。これにより、揺動軸ＡＸに垂直な任意の方向から接近する物体に対して第２リング部（フレーム側係合リング部４２）が保護されるため、第２リング部（フレーム側係合リング部４２）に不要な外力が作用し難くなる。
【０１０５】
更に、第２実施形態に係るペンダントトップ２において、フレーム（フレーム本体部４１）は、第１リング部（台座側係合リング部２４）を通り揺動軸ＡＸに垂直な任意の平面上において第１リング部（台座側係合リング部２４）の周囲を覆う。これにより、揺動軸ＡＸに垂直な任意の方向から接近する物体に対して第１リング部（台座側係合リング部２４）が保護されるため、第１リング部（台座側係合リング部２４）自身や、第１リング部（台座側係合リング部２４）と第２リング部（フレーム側係合リング部４２）との接触部Ｏに不要な外力が作用し難くなる。
【０１０６】
次に、第２実施形態に係るペンダントトップ２のより具体的な構成について説明する。
【０１０７】
フレーム部４０は、図１１に示すペンダントトップ２の正面視において、台座部２０及び宝石１０の周りを囲むように配されるとともに保護部材として設けられるフレーム本体部４１と、フレーム本体部４１の内面に固定される左右のフレーム側係合リング部４２と、フレーム本体部４１の上端部に上方に突出するように設けられるチェーン連結部４３とを有する。
【０１０８】
チェーン連結部４３は、フレーム本体部４１（特にフレーム本体部４１のリアパーツ４７）に図示しない小さな取付穴を形成するとともに、その取付穴にチェーン連結部４３の図示しない留め具を挿入して固定することによって、フレーム本体部４１に取り付けられている。なお本実施形態において、チェーン連結部４３をフレーム本体部４１に取り付ける方法や手段は特に限定されない。
【０１０９】
フレーム本体部４１は、図１１に示すペンダントトップ２の正面視において、台座部２０及び宝石１０の全体を外側から取り囲むとともに、台座部２０及び宝石１０が揺動しても接触しないように、台座部２０及び宝石１０から外側に離間して、宝石１０とフレーム本体部４１との間に隙間が形成されるようなドーナツ状の形状を有する。
【０１１０】
このフレーム本体部４１は、フレーム側係合リング部４２及び台座側係合リング部２４の正面を保護するフロントパーツ４６と、フレーム側係合リング部４２及び台座側係合リング部２４の背面を保護するリアパーツ４７とを有する。この場合、フレーム本体部４１のフロントパーツ４６は、前述の第１実施形態に係るペンダントトップにおけるフレーム本体部３１のフロントパーツ３６と略同様の形状を有するとともに、当該フロントパーツ３６よりも大きさを全体的に小さくして形成されている。また、左右のフレーム側係合リング部４２は、前述の第１実施形態に係るペンダントトップにおけるフレーム側係合リング部３２よりもサイズが小さなリング状に形成されている。
【０１１１】
リアパーツ４７は、フロントパーツ４６に対して、前述の第１実施形態のような表裏対称的な形状を有しておらず、ドーナツ状の形状を有するセラミックス製の部材により形成されている。このため、リアパーツ４７の正面視における中央部分には、前後方向に貫通する円形の中央開口部が設けられている。
【０１１２】
この場合、フレーム本体部４１の正面視において、リアパーツ４７の内径の大きさ（リアパーツ４７の中央開口部の直径の大きさ）は、フロントパーツ４６の外径の大きさよりも小さく設定され、且つ、台座側係合リング部２４及びフレーム側係合リング部４２の背面側を保護できる大きさに設定される。このようなリアパーツ４７は、レーザー等によるロウ付け又はその他の固着手段によって、フロントパーツ４６に固定される。
【０１１３】
なお本実施形態において、フロントパーツ４６及びリアパーツ４７の形状は任意に変更することが可能である。例えば、リアパーツ４７の変形例として、円形の中央開口部が設けられていないセラミックス製の部材を用いることも可能である。この場合、変形例に係るリアパーツには、リアパーツの背面側端部の位置で、且つ、前後に揺動する台座部２０及び宝石１０と干渉しない位置に、中央開口部を閉じるように配される後壁部が一体的に形成されている。
【０１１４】
フレーム本体部４１は、フロントパーツ４６とリアパーツ４７との間に、左右のそれぞれのフレーム側係合リング部４２及び台座側係合リング部２４を相互に係合させた状態で収容可能な内部空間が形成される中空の形状を有する。従って、このフレーム本体部４１は、フレーム部４０の一部を構成する部分であるとともに、フレーム側係合リング部４２と台座側係合リング部２４とを外側から囲んで保護する保護部材でもある。言い換えると、第２実施形態では、前述の第１実施形態と同様に、フレーム本体部（保護部材）４１の内部空間が、フレーム側係合リング部４２及び台座側係合リング部２４を相互に係合させた状態で内部に収容する収容室として形成されている。
【０１１５】
このようなフレーム本体部（保護部材）４１では、フレーム本体部４１の内面に固定される環状のフレーム側係合リング部４２と、そのフレーム側係合リング部４２に連結して係合する台座側係合リング部２４とを連結した状態でフレーム本体部４１の上記収容室内に配置して、これらの係合リング部４２，２４をフレーム本体部（保護部材）４１の内側に収容することにより、連結状態にあるフレーム側係合リング部４２と台座側係合リング部２４の少なくとも正面（前面）、背面（後面）、上面、下面、及び幅方向（横方向）の外側面を外側から覆って隠すようにして、フレーム側係合リング部４２及び台座側係合リング部２４を全体的に保護することができる。
【０１１６】
すなわち、フレーム本体部（保護部材）４１では、連結状態にあるフレーム側係合リング部４２と台座側係合リング部２４とを、連結した状態でフレーム本体部４１の上記収容室内に収容するため、フレーム本体部４１によって、これらの係合リング部４２，２４を、少なくとも正面（前面）側、背面（後面）側、上面側、下面側、及び幅方向（横方向）の外側面側から覆うようにして保護することができる。更に、フレーム本体部４１の内周縁部には、台座部２０の左右のアーム部２３を挿通させる内周側間隙（挿通開口部）が、フロントパーツ４６とリアパーツ４７との間に形成されている。
【０１１７】
左右のフレーム側係合リング部４２は、前述の第１実施形態に係るペンダントトップと同様に形成されており、且つ、フレーム本体部４１のフロントパーツ４６の内面における所定の位置に、レーザー等によるロウ付けによって固定されている。
【０１１８】
以上のような第２実施形態に係るペンダントトップ２では、保護部材となるフレーム本体部４１の形状及び材質が前述の第１実施形態に係るペンダントトップ１と異なるものの、宝石１０が細かく円滑に揺動できる状態を長期に亘って安定して維持できるとともに、糸などの絡み付きによって宝石の細かな揺動が阻害されることを防止できるといった前述の第１実施形態に係るペンダントトップ１の場合と同様の効果が得られる。
【０１１９】
＜第３実施形態＞
図１３は、第３実施形態に係るペンダントトップの一例を示す正面図である。図１４は、図１３に示すペンダントトップ３の側面図である。図１５は、図１３に示すペンダントトップ３のフレーム部５０に保護部材６０が固定された状態を拡大して示す拡大図である。第３実施形態に係るペンダントトップ３も、第１実施形態及び第２実施形態と同様に、身飾品としてのペンダント（又はネックレス）を構成する。
【０１２０】
図１３に示すペンダントトップ３について規定される３つの方向（縦方向、横方向、前後方向）は、図１に示すペンダントトップ１と同様に、図１３の紙面の縦方向、横方向及び前後方向（表裏方向）と一致する。
【０１２１】
第３実施形態に係るペンダントトップ３は、例えば図１３〜図１５において示すように、フレーム部５０と、ダイヤモンドなどの宝石１０が固定保持される台座部２０とを有する。フレーム部５０は、フレーム本体部５１と、フレーム本体部５１に設けられた２つのフレーム側係合リング部５２とを含む。台座部２０は、２つの台座側係合リング部２４を含む。図１５に示すように、一方の台座側係合リング部２４と一方のフレーム側係合リング部５２とが連結され、他方の台座側係合リング部２４と他方のフレーム側係合リング部５２とが連結される。互いに連結された台座側係合リング部２４とフレーム側係合リング部５２とが、接触部Ｏにおいて接触する。
【０１２２】
第３実施形態に係るペンダントトップ３において、フレーム本体部５１と後述の保護部材６０を含んだ部分は、「フレーム」とも呼ばれる。宝石１０と台座部２０を含んだ部分は、「被吊り下げ体」とも呼ばれる。２つのフレーム側係合リング部５２を含んだ部分は、「吊り下げ部」とも呼ばれる。台座側係合リング部２４は、「第１リング部」とも呼ばれる。フレーム側係合リング部５２は、「第２リング部」とも呼ばれる。
【０１２３】
第３実施形態に係るペンダントトップ３における「フレーム」、「被吊り下げ体」及び「吊り下げ部」の概略的な構成は、既に説明した第１実施形態に係るペンダントトップ（１，１ａ，１ｃ）と同様である。従って、第３実施形態に係るペンダントトップ３においても、２つの外側範囲ＲＥから接近する物体に対して２つの接触部Ｏをそれぞれ保護し、不要な外力がこれらの接触部Ｏに作用し難くすることができる。
【０１２４】
また、第３実施形態に係るペンダントトップ３において、被吊り下げ体（宝石１０及び台座部２０）は、前後方向における少なくとも前側から目視可能であり、フレーム（フレーム本体部５１及び保護部材６０）は、横方向における左側及び右側から被吊り下げ体（宝石１０及び台座部２０）を覆う（図１４）。これにより、前後方向における少なくとも前側から被吊り下げ体（宝石１０及び台座部２０）を目視することが可能になる一方、横方向における左側や右側から接近する物体に対して被吊り下げ体（宝石１０及び台座部２０）が保護されるため、被吊り下げ体（宝石１０及び台座部２０）自身や、被吊り下げ体（宝石１０及び台座部２０）と吊り下げ部（２つのフレーム側係合リング部５２）との２つの接触部Ｏに不要な外力が作用し難くなる。
【０１２５】
更に、第３実施形態に係るペンダントトップ３において、フレーム（フレーム本体部５１及び保護部材６０）は、第２リング部（フレーム側係合リング部５２）を通り揺動軸ＡＸに垂直な任意の平面上において第２リング部（フレーム側係合リング部５２）の周囲を覆う。これにより、揺動軸ＡＸに垂直な任意の方向から接近する物体に対して第２リング部（フレーム側係合リング部５２）が保護されるため、第２リング部（フレーム側係合リング部５２）に不要な外力が作用し難くなる。
【０１２６】
しかも、第２実施形態に係るペンダントトップ２において、フレーム（フレーム本体部５１及び保護部材６０）は、第１リング部（台座側係合リング部２４）を通り揺動軸ＡＸに垂直な任意の平面上において第１リング部（台座側係合リング部２４）の周囲を覆う。これにより、揺動軸ＡＸに垂直な任意の方向から接近する物体に対して第１リング部（台座側係合リング部２４）が保護されるため、第１リング部（台座側係合リング部２４）自身や、第１リング部（台座側係合リング部２４）と第２リング部（フレーム側係合リング部５２）との接触部Ｏに不要な外力が作用し難くなる。
【０１２７】
次に、第３実施形態に係るペンダントトップ３のより具体的な構成について説明する。
【０１２８】
第３実施形態に係るペンダントトップ３は、ダイヤモンドなどの宝石１０が固定保持される台座部２０と、その台座部２０及び宝石１０を支持するフレーム部５０とを有する。フレーム部５０は、ペンダントトップ３の正面視において逆Ｖ字状を呈するフレーム本体部５１と、フレーム本体部５１の左右下端部の裏面に設けられる左右のフレーム側係合リング部５２と、フレーム本体部５１の左右の下端部の背面側にそれぞれ固定される左右一対の保護部材６０とを有する。
【０１２９】
すなわち、第３実施形態に係るペンダントトップ３では、フレーム本体部５１と保護部材６０とが別の部品として形成されており、組み立て時にロウ付け等によって互いに固定される一方、台座部２０及び宝石１０は、前述の第１実施形態に係るペンダントトップ１の場合と同様に形成されている。
【０１３０】
フレーム部５０において、フレーム本体部５１の上端部には、ペンダントのチェーン５を連結させるためのチェーン連結孔部５３が、横方向に沿って貫通するように設けられている。また、フレーム本体部５１の左右の下端部は、図１３に示すペンダントトップ３の正面視において、台座部２０及び宝石１０の下端位置よりも更に下方に延びて形成されている。このようにフレーム本体部５１の左右の下端部を形成することによって、ペンダントトップ３が身に着けられときに、使用者が着衣している衣服等を、ペンダントトップ３の下方側から宝石１０及び台座部２０に接触させ難くすることができる。
【０１３１】
フレーム本体部５１において、左右の下端部の背面（裏面）には、フレーム側係合リング部５２を収容する左右のリング収容部５４が設けられている。このリング収容部５４は、フレーム本体部５１の前後方向の厚さを部分的に薄くして形成されている。左右のリング収容部５４の背面には、それぞれフレーム側係合リング部５２が一体的に形成されている。な、フレーム側係合リング部５２は、フレーム本体部５１とは別に形成してから、フレーム本体部５１の所定の位置にロウ付け等により固定されていても良い。
【０１３２】
左右の保護部材６０は、互いに別体として形成されている。また、左右の保護部材６０は、フレーム本体部５１の左右の下端部に、連結状態にあるフレーム側係合リング部５２及び台座側係合リング部２４を外側から覆うようにして、ロウ付け等により固定されている。この場合、各保護部材６０は、フレーム側係合リング部５２及び台座側係合リング部２４の背面側を覆う後壁部６１と、フレーム側係合リング部５２及び台座側係合リング部２４の横方向における外側側方を覆う外側側壁部６２と、フレーム側係合リング部５２及び台座側係合リング部２４の下方を覆う底壁部６３とを有する。更に、フレーム部５０の左右の下端部の内側面部には、台座部２０の左右のアーム部２３を挿通させる内周側間隙（挿通開口部）が、フレーム本体部５１の左右の下端部と保護部材６０との間に設けられている。
【０１３３】
このような第３実施形態に係るペンダントトップ３によれば、連結状態にあるフレーム側係合リング部５２及び台座側係合リング部２４の正面側と上面側とが、フレーム本体部５１によって覆い隠されて保護されるとともに、連結状態にあるフレーム側係合リング部５２及び台座側係合リング部２４の背面側、外側面側、及び下面側が、保護部材６０によって覆い隠されて保護される。言い換えると、第３実施形態に係るペンダントトップ３では、フレーム部５０において、フレーム本体部５１の左右の下端部と保護部材６０とに挟まれるようにして形成される内部空間が、フレーム側係合リング部５２及び台座側係合リング部２４を相互に係合させた状態で内部に収容して保護する収容室として形成されている。
【０１３４】
これにより、第３実施形態に係るペンダントトップ３では、ペンダントとしての通常の使用において、宝石１０が細かく円滑に揺動できる状態を長期に亘って安定して維持できるとともに、糸などの絡み付きによって宝石１０の細かな揺動が阻害されることを防止できるといった前述の第１実施形態に係るペンダントトップ１と同様の効果が得られる。
【０１３５】
またフレーム本体部５１及び左右の保護部材６０は、ペンダントトップ３の側面視において、宝石１０のキューレット部１１が、フレーム本体部５１の裏面位置及び保護部材６０の裏面位置よりも表面側に位置するように形成されている。言い換えると、フレーム本体部５１の裏面及び左右の保護部材６０の裏面は、図１４に示した状態において、ペンダントトップ３の表裏方向（前後方向）に関して、宝石１０のキューレット部１１の位置よりも更に裏側の位置に配されている。これにより、第３実施形態に係るペンダントトップ３が身に着けられときに、宝石１０を、使用者が着衣した衣服やマフラーなどに接触させ難くすることができるため、台座部２０及び宝石１０の微小な揺動が、衣服やマフラーなどによって阻害され難くすることができる。
【０１３６】
＜第４実施形態＞
図１６は、第４実施形態に係る指輪の一例を示す正面図である。図１７は、図１６に示す指輪４に用いられる台座部９０を示す模式斜視図である。図１８は、図１６に示す指輪４の要部を示す模式図である。
【０１３７】
以下の指輪４に関する説明においても、既に説明したペンダントトップと同様に、指輪４の各構成要素の相対的な位置関係を示す３つの方向（縦方向、横方向、前後方向）が規定される。縦方向は、揺動軸ＡＸに垂直な方向の１つであり、具体的には、図１６に示す指輪４おける紙面の縦方向と同じである。横方向は、揺動軸ＡＸに平行な方向であり、具体的には、図１６に示す指輪４おける紙面の横方向と同じである。前後方向は、縦方向及び横方向に垂直な方向であり、具体的には、図１６に示す指輪４における紙面に垂直な方向である。縦方向は、図１６に示すように、指輪４に指を挿入する方向と概ね平行である。後述する被吊り下げ体は、前後方向が鉛直方向と概ね平行になる姿勢において揺動可能な状態となる。前後方向における前方とは、図１６に示す指輪４の奥から手前に向かう方向であり、前後方向における後方とは、図１６に指輪４の手前から奥に向かう方向である。
【０１３８】
第４実施形態に係る指輪４は、例えば図１６〜図１８において示すように、フレーム部１００と、ダイヤモンドなどの宝石１０が固定保持される台座部９０とを有する。フレーム部１００は、フレーム本体部１０１と、フレーム本体部１０１に設けられた２つのフレーム側係合リング部１０２とを含む。台座部９０は、２つの台座側係合リング部９４を含む。図１６及び図１８に示すように、一方の台座側係合リング部９４と一方のフレーム側係合リング部１０２とが連結され、他方の台座側係合リング部９４と他方のフレーム側係合リング部１０２とが連結される。互いに連結された台座側係合リング部９４とフレーム側係合リング部１０２とが、２つの接触部Ｏにおいて接触する。
【０１３９】
第４実施形態に係る指輪４において、フレーム本体部１０１と後述の保護部材１０３を含んだ部分は、「フレーム」とも呼ばれる。宝石１０と台座部９０を含んだ部分は、「被吊り下げ体」とも呼ばれる。２つのフレーム側係合リング部１０２を含んだ部分は、「吊り下げ部」とも呼ばれる。台座側係合リング部９４は、「第１リング部」とも呼ばれる。フレーム側係合リング部１０２は、「第２リング部」とも呼ばれる。
【０１４０】
第４実施形態に係る指輪４における「フレーム」、「被吊り下げ体」及び「吊り下げ部」の概略的な構成は、既に説明した第１実施形態に係るペンダントトップ（１，１ａ，１ｃ）と同様である。従って、第４実施形態に係る指輪４においても、２つの外側範囲ＲＥから接近する物体に対して２つの接触部Ｏをそれぞれ保護し、不要な外力がこれらの接触部Ｏに作用し難くすることができる。
【０１４１】
また、第４実施形態に係る指輪４において、被吊り下げ体（宝石１０及び台座部９０）は、前後方向における少なくとも前側から目視可能であり、フレーム（フレーム本体部１０１及び保護部材１０３）は、横方向における左側及び右側から被吊り下げ体（宝石１０及び台座部９０）を覆う。これにより、前後方向における少なくとも前側から被吊り下げ体（宝石１０及び台座部９０）を目視することが可能になる一方、横方向における左側や右側から接近する物体に対して被吊り下げ体（宝石１０及び台座部９０）が保護されるため、被吊り下げ体（宝石１０及び台座部９０）自身や、被吊り下げ体（宝石１０及び台座部９０）と吊り下げ部（２つのフレーム側係合リング部１０２）との２つの接触部Ｏに不要な外力が作用し難くなる。
【０１４２】
更に、第４実施形態に係る指輪４において、フレーム（フレーム本体部１０１及び保護部材１０３）は、縦方向における上側及び下側から被吊り下げ体（宝石１０及び台座部９０）を覆う。これにより、縦方向における上側や下側から接近する物体に対して被吊り下げ体（宝石１０及び台座部９０）が保護されるため、被吊り下げ体（宝石１０及び台座部９０）自身や、被吊り下げ体（宝石１０及び台座部９０）と吊り下げ部（２つのフレーム側係合リング部１０２）との２つの接触部Ｏに不要な外力が更に作用し難くなる。
【０１４３】
また、第４実施形態に係る指輪４において、フレーム（フレーム本体部１０１及び保護部材１０３）は、第２リング部（フレーム側係合リング部１０２）を通り揺動軸ＡＸに垂直な任意の平面上において第２リング部（フレーム側係合リング部１０２）の周囲を覆う。これにより、揺動軸ＡＸに垂直な任意の方向から接近する物体に対して第２リング部（フレーム側係合リング部１０２）が保護されるため、第２リング部（フレーム側係合リング部１０２）に不要な外力が作用し難くなる。
【０１４４】
しかも、第４実施形態に係る指輪４において、フレーム（フレーム本体部１０１及び保護部材１０３）は、第１リング部（台座側係合リング部９４）を通り揺動軸ＡＸに垂直な任意の平面上において第１リング部（台座側係合リング部９４）の周囲を覆う。これにより、揺動軸ＡＸに垂直な任意の方向から接近する物体に対して第１リング部（台座側係合リング部９４）が保護されるため、第１リング部（台座側係合リング部９４）自身や、第１リング部（台座側係合リング部９４）と第２リング部（フレーム側係合リング部１０２）との接触部Ｏに不要な外力が作用し難くなる。
【０１４５】
次に、第４実施形態に係る指輪４のより具体的な構成について説明する。
【０１４６】
第４実施形態に係る指輪４は、環状の指輪本体部４ａと、ダイヤモンドなどの宝石１０が固定保持される台座部９０と、指輪本体部４ａに一体的に形成されるとともに台座部９０及び宝石１０を支持するフレーム部１００とを有する。この場合、フレーム部１００の一部は、後述するように保護部材１０３となる。
【０１４７】
台座部９０は、図１７に示すように、宝石１０が載置される台座本体部９１と、台座本体部９１に突設され、宝石１０を固定する複数の爪部９２と、台座本体部９１の左右の側縁部から台座部９０の幅方向の外側に向けて延出する左右のアーム部９３と、左右のアーム部９３の先端部に配される左右の台座側係合リング部９４とを有する。左右のアーム部９３は、台座本体部９１から左右方向の外側に延出するとともに、台座側係合リング部９４が台座本体部９１に対して直交する姿勢で配されるようにねじれた形状を有する。左右の台座側係合リング部９４の中央部には、円形状の中央開口部９４ａが形成されている。
【０１４８】
この台座部９０は、台座側係合リング部９４及び後述するフレーム側係合リング部１０２を介してフレーム部１００に支持されるときに、固定保持する宝石１０のテーブル表面が前方を向く（図１６で紙面手前側を向く）とともに、台座側係合リング部９４の中央開口部９４ａが上下方向に向くように形成されている。
【０１４９】
フレーム部１００は、フレーム本体部１０１と、フレーム本体部１０１の内周壁面に固定される左右のフレーム側係合リング部１０２と、フレーム本体部１０１と一体に形成されるとともにフレーム本体部１０１の上端部から内側に向けて延出する環状の保護部材１０３とを有する。
【０１５０】
フレーム本体部１０１は、台座部９０及び宝石１０を収容する収容領域（空間）を内側に備えるお椀状の形態に形成されており、宝石１０のキューレットに対向するように配される底面部１０１ａと、底面部１０１ａの外周縁部から立ち上がるように配される内周壁面部１０１ｂとを有する、このフレーム本体部１０１の内周壁面部１０１ｂと底面部１０１ａとは、宝石１０との間に隙間を形成するように台座部９０及び宝石１０から離れて配されている。
【０１５１】
左右のフレーム側係合リング部１０２は、円形状の中央開口部を有する。各フレーム側係合リング部１０２は、前後方向に対して略４５°の傾斜角度で傾斜して、中央開口部が斜めに傾いた方向に向くような姿勢で、フレーム本体部１０１と保護部材１０３との境界部分又はその近傍に固定されている。この場合、フレーム側係合リング部１０２は、フレーム本体部１０１及び保護部材１０３の少なくとも一方に固定されていれば良いが、フレーム本体部１０１と保護部材１０３の両方に固定されることにより、フレーム側係合リング部１０２の固定強度を高めることができる。
【０１５２】
なお本実施形態において、フレーム側係合リング部１０２の向きや姿勢、フレーム側係合リング部１０２のフレーム本体部１０１に対する固定手段は特に限定されず、例えばフレーム側係合リング部１０２を、前後方向と平行な姿勢でフレーム本体部１０１又は保護部材１０３に固定することも可能である。
【０１５３】
保護部材１０３は、フレーム本体部１０１の上端部から、中心部に向けて内側に延びるとともに、フレーム本体部１０１の天面部に向けて下り傾斜して延びるように配されている。この保護部材１０３と、フレーム本体部１０１の内周壁面部１０１ｂ及び底面部１０１ａとの間には、左右のフレーム側係合リング部１０２及び台座側係合リング部９４を相互に係合させた状態で収容する収容室（内部空間）１０４が設けられている。
【０１５４】
このような第４実施形態に係る指輪４によれば、相互に連結状態にあるフレーム側係合リング部１０２と台座側係合リング部９４の正面側、背面側、上面側、下面側、及び幅方向の外側面側が、保護部材１０３とお椀状のフレーム本体部１０１とにより覆い隠されて、フレーム側係合リング部１０２の全体と台座側係合リング部９４の全体が保護される。すなわち、フレーム側係合リング部１０２と台座側係合リング部９４とは、図１６に示したような指輪４の正面視において、保護部材１０３の裏側に隠れて見えなくなるとともに、外部から意図しない外力（荷重）を直接受けることも防止できる。
【０１５５】
従って、第４実施形態に係る指輪４では、通常の使用において、宝石１０が細かく円滑に揺動できる状態を長期に亘って安定して維持でき、また、糸などの絡み付きによって宝石１０の細かな揺動が阻害されることも防止できる。その結果、宝石の輝きがより美しく見え、指輪４の装飾効果や高級感をより効果的に高めることができる。
【０１５６】
なお、第４実施形態では、少なくともフレーム部１００の左右のフレーム側係合リング部１０２の全体と、左右の台座側係合リング部９４におけるフレーム側係合リング部１０２との連結部分とが、保護部材１０３とフレーム本体部１０１とにより保護されていれば良く、例えば台座側係合リング部９４におけるフレーム側係合リング部１０２との連結部分以外のリング部分が部分的に露出していてもよい。
【０１５７】
ここまで、身飾品の実施形態として、第１実施形態〜第３実施形態ではペンダントトップを有するペンダントについて説明し、第４実施形態では指輪について説明した。しかしながら、本発明の身飾品の実施形態はこれらの例に限定されない。すなわち、本発明の身飾品の実施形態は、被吊り下げ体（宝石が固定保持された台座部など）が揺動可能に吊り下げられた構造を持つピアスやイヤリング、ブローチ、ネクタイ止めなど、その他の様々な身飾品にも同様に適用することができる。
【０１５８】
また、上述した第１実施形態〜第４実施形態では、フレーム側係合リング部と台座側係合リング部とが全体的に中空の円に近い形状を有する場合について説明している。しかしながら、本発明の実施形態において、フレーム側係合リング部及び台座側係合リング部は、これらが連結されたときに互いに接触し得る内周部の一部分が円弧状の形状を有し、且つ、それ以外の部分が非円弧状の形状に有するように形成されていても良い。
【０１５９】
また、被吊り下げ体及び吊り下げ部による吊り下げ構造は、少なくとも、被吊り下げ体と吊り下げ部とが２つの接触部において接触し、この２つの接触部を通る揺動軸の周りで被吊り下げ体が揺動可能に吊り下げられる構造であればよく、上述した各実施形態のようにリング部を用いた構造には限定されない。
【０１６０】
上述した第１実施形態〜第４実施形態では、１つのフレーム部に対して１つの被吊り下げ体（宝石及び台座部など）が対応して配される身飾品について説明しているが、本発明の他の実施形態では、１つのフレーム部に対して複数の被吊り下げ体が配されていてもよい。
【０１６１】
上述した第１実施形態〜第４実施形態では、被吊り下げ体に宝石が含まれる例を挙げたが、本発明の他の実施形態では、光を反射させる性質を持った宝石以外の様々な部材が被吊り下げ体に含まれていてもよい。
【０１６２】
次に、様々な物品の外観を装飾する装飾用部品の実施形態を説明する。
【０１６３】
＜第５実施形態＞
図１９は、第５実施形態に係る装飾用部品の一例を示す正面図である。図２０は、図１９に示す装飾用部品７の背面図である。図２１は、図１９に示す装飾用部品７の正面図中央縦断面図である。図２２は、図２１の断面図において台座部２０を省略した図である。本実施形態に係る装飾用部品７は、様々な物品（例えば眼鏡、腕時計、印鑑、かばん、財布、文房具、鍵、スマートフォン、オルゴール、置時計、おもちゃ、楽器、運動用具など）に固定され、その外観を装飾するための部品として使用される。
【０１６４】
以下の装飾用部品に関する説明では、装飾用部品の各構成要素の相対的な位置関係を示すために、３つの方向（縦方向、横方向、前後方向）が規定される。縦方向は、後述する揺動軸ＡＸに垂直な方向の１つであり、具体的には、図１９及び図２０に示す装飾用部品７おける紙面の縦方向と同じである。横方向は、後述する揺動軸ＡＸに平行な方向であり、具体的には、図１９及び図２０に示す装飾用部品７おける紙面の横方向と同じである。前後方向は、縦方向及び横方向に垂直な方向であり、具体的には、図１９及び図２０に示す装飾用部品７における紙面に垂直な方向である。前後方向における前方とは、図１９に示す装飾用部品７の奥から手前に向かう方向であり、前後方向における後方とは、図１９に示す装飾用部品７の手前から奥に向かう方向である。
【０１６５】
第５実施形態に係る装飾用部品７は、例えば図１９〜図２２において示すように、物品８に固定されたフレーム１１０と、ダイヤモンドなどの宝石１０が固定保持される台座部２０と、フレーム１１０に設けられた２つのフレーム側係合リング部３２とを有する。台座部２０は、２つの台座側係合リング部２４を含む。図１９及び図２０に示すように、一方の台座側係合リング部２４と一方のフレーム側係合リング部３２とが連結され、他方の台座側係合リング部２４と他方のフレーム側係合リング部３２とが連結される。互いに連結された台座側係合リング部２４とフレーム側係合リング部３２とが、接触部Ｏにおいて接触する。
【０１６６】
なお、第５実施形態に係る装飾用部品７において、宝石１０と台座部２０を含んだ部分は、「被吊り下げ体」とも呼ばれる。２つのフレーム側係合リング部３２を含んだ部分は、「吊り下げ部」とも呼ばれる。台座側係合リング部２４は、「第１リング部」とも呼ばれる。フレーム側係合リング部３２は、「第２リング部」とも呼ばれる。
【０１６７】
図１９及び図２０に示すように、吊り下げ部（２つのフレーム側係合リング部３２）は、被吊り下げ体（宝石１０及び台座部２０）を仮想的な揺動軸ＡＸの周りで揺動可能に吊り下げる。吊り下げ部（２つのフレーム側係合リング部３２）と被吊り下げ体（宝石１０及び台座部２０）とは、揺動軸ＡＸ上に位置する２つの接触部Ｏにおいて接触する。
【０１６８】
図１９及び図２０において、「ＰＬ」は揺動軸ＡＸに垂直な平面を表し、「ＲＥ」は２つの平面ＰＬによって区分される範囲（外側範囲）を表す。２つの平面ＰＬは、フレーム１１０に対して規定された平面であり、２つの接触部Ｏの間に位置する。２つの平面ＰＬによって区分される３つの範囲のうち、それぞれ１つの接触部を含む２つの範囲が、それぞれ外側範囲ＲＥである。２つの外側範囲ＲＥは、２つの平面ＰＬを間に挟んで互いに隔てられている。
【０１６９】
フレーム１１０は、図１９〜図２２において示すように、一方の接触部Ｏを含んだ一方の外側範囲ＲＥにおいて、物品８の外面２０１により覆われていない一方の接触部Ｏの周囲を覆う。また、フレーム１１０は、他方の接触部Ｏを含んだ一方の外側範囲ＲＥにおいて、物品８の外面２０１により覆われていない他方の接触部Ｏの周囲を覆う。
【０１７０】
このように、第５実施形態に係る装飾用部品７では、吊り下げ部（２つのフレーム側係合リング部３２）によって吊り下げられた被吊り下げ体（宝石１０及び台座部２０）が、仮想的な揺動軸ＡＸの周りで揺動可能な状態となる。この揺動可能な状態において、被吊り下げ体（宝石１０及び台座部２０）と吊り下げ部（２つのフレーム側係合リング部３２）とが、揺動軸ＡＸ上に位置する２つの接触部Ｏにおいて接触する。２つの接触部Ｏの間に位置し揺動軸ＡＸに垂直な所定の２つの平ＰＬ面を想定した場合、この２つの平面ＰＬによって区分される３つの範囲のうち、それぞれ１つの接触部Ｏを含む２つの範囲が、それぞれ外側範囲ＲＥとして規定される。この２つの外側範囲ＲＥは、それぞれ異なる接触部Ｏを含む。一方の外側範囲ＲＥでは、物品８により覆われていない一方の接触部Ｏの周囲がフレーム１１０によって覆われる。すなわち、一方の外側範囲ＲＥでは、物品８とフレーム１１０とによって、一方の接触部Ｏの周囲が覆われる。これにより、一方の外側範囲ＲＥから接近する物体に対して一方の接触部Ｏが保護されるため、一方の接触部Ｏに不要な外力が作用し難くなる。また、他方の接触部Ｏを含んだ他方の外側範囲ＲＥでは、物品８により覆われていない他方の接触部Ｏの周囲がフレーム１１０によって覆われる。すなわち、他方の外側範囲ＲＥでは、物品８とフレーム１１０とによって、他方の接触部Ｏの周囲が覆われる。これにより、他方の外側範囲ＲＥから接近する物体に対して他方の接触部Ｏが保護されるため、他方の接触部Ｏに不要な外力が作用し難くなる。つまり、第５実施形態に係る装飾用部品７によれば、２つの外側範囲ＲＥから接近する物体に対して２つの接触部Ｏをそれぞれ保護し、不要な外力がこれらの接触部Ｏに作用し難くすることができる。
【０１７１】
また、第５実施形態に係る装飾用部品７において、被吊り下げ体（宝石１０及び台座部２０）は、前後方向における少なくとも前側から目視可能であり、フレーム１１０は、横方向における左側及び右側から被吊り下げ体（宝石１０及び台座部２０）を覆う。
これにより、前後方向における少なくとも前側から被吊り下げ体（宝石１０及び台座部２０）を目視することが可能になる一方、横方向における左側や右側から接近する物体に対して被吊り下げ体（宝石１０及び台座部２０）が保護されるため、被吊り下げ体（宝石１０及び台座部２０）自身や、被吊り下げ体（宝石１０及び台座部２０）と吊り下げ部（２つのフレーム側係合リング部３２）との２つの接触部Ｏに不要な外力が作用し難くなる。
【０１７２】
更に、第５実施形態に係る装飾用部品７において、フレーム１１０は、縦方向における上側及び下側から被吊り下げ体（宝石１０及び台座部２０）を覆う。
これにより、縦方向における上側や下側から接近する物体に対して被吊り下げ体（宝石１０及び台座部２０）が保護されるため、被吊り下げ体（宝石１０及び台座部２０）自身や、被吊り下げ体（宝石１０及び台座部２０）と吊り下げ部（２つのフレーム側係合リング部３２）との２つの接触部Ｏに不要な外力が作用し難くなる。
【０１７３】
また、フレーム１１０は、第２リング部（フレーム側係合リング部３２）を通り揺動軸ＡＸに垂直な任意の平面上において、物品８により覆われていない第２リング部（フレーム側係合リング部３２）の周囲を覆う。
これにより、揺動軸ＡＸに垂直な任意の方向から接近する物体に対して第２リング部（フレーム側係合リング部３２）が保護されるため、第２リング部（フレーム側係合リング部３２）に不要な外力が作用し難くなる。
【０１７４】
しかも、フレーム１１０は、第１リング部（台座側係合リング部２４）を通り揺動軸ＡＸに垂直な任意の平面上において、物品８により覆われていない第１リング部（台座側係合リング部２４）の周囲を覆う。
これにより、揺動軸ＡＸに垂直な任意の方向から接近する物体に対して第１リング部（台座側係合リング部２４）が保護されるため、第１リング部（台座側係合リング部２４）自身や、第１リング部（台座側係合リング部２４）と第２リング部（フレーム側係合リング部３２）との接触部Ｏに不要な外力が作用し難くなる。
【０１７５】
次に、図１９〜図２２に示す装飾用部品７の具体的な構成について説明する。
【０１７６】
フレーム１１０は、既に説明した図１のフロントパーツ３６（図１、図３、図６）と概ね同じである。従って、フレーム１１０についての詳細な説明や、フレーム１１０における２つのフレーム側係合リング部３２の配置などについての詳細な説明は割愛する。
【０１７７】
フレーム１１０は、図１９〜図２２において示すように、ドーナツ状の形状を持つ中空体を径方向に平行な平面で半分に切断したような全体形状を持ち、その切断面の円形の縁１１４が物品８の表面に接着剤などで固定される。図２１及び図２２に示すように、物品８の表面には、円柱状に凹んだ凹部２０２が形成されており、その凹部２０２を塞ぐようにフレーム１１０が固定される。図２１及び図２２の例において、凹部２０２の開口部の縁には段差２０３が形成されており、この段差２０３にフレーム１１０の縁１１４が嵌合される。フレーム１１０の縁１１４が段差２０３に嵌合されることによって、凹部２０２の開口部に対してフレーム１１０の縁１１４が正確に位置決めされ易くなる。
【０１７８】
２つのフレーム側係合リング部３２は、図２２に示すように、２つの接触部Ｏを覆うように配置されたフレーム１１０の内面１１３に設けられている。これにより、フレーム１１０によるフレーム側係合リング部３２の支持と、フレーム１１０による接触部Ｏの保護とが簡易な構造で実現される。
【０１７９】
フレーム１１０は、図１９及び図２０に示すように、被吊り下げ体（宝石１０及び台座部２０）の一部を外側に露出させる開口部１１２を持つ。これにより、揺動する被吊り下げ体（宝石１０及び台座部２０）の一部を開口部１１２において目視し易くなる。また、被吊り下げ体（宝石１０及び台座部２０）において反射された光が直接目に届くため、被吊り下げ体からの強い輝きが得られ易くなる。
【０１８０】
フレーム１１０の開口部１１２の縁１１５は、図２１及び図２２に示すように、接触部Ｏを覆うフレーム１１０の内面１１３側において突出している。これにより、開口部１１２側から見て被吊り下げ体（宝石１０及び台座部２０）と吊り下げ部（２つのフレーム側係合リング部３２）との接触部Ｏが開口部１１２の縁１１５により覆われるため、開口部１１２側から接近する物体に対して接触部Ｏが保護され易くなる。
【０１８１】
＜第６実施形態＞
図２３は、第６実施形態に係る装飾用部品７ａの一例を示す図であり、着脱部１２１が基部１３０から取り外された状態を示す。図２４は、第６実施形態に係る装飾用部品７ａの一例を示す図であり、着脱部１２１が基部１３０に取り付けられた状態を示す。図２３及び図２４は、いずれも、台座部２０の図示が省略された図２２の断面図に対応する図面である。
【０１８２】
図２３に示す装飾用部品７ａについて規定される３つの方向（縦方向、横方向、前後方向）は、図１９〜図２２に示す装飾用部品７と同様である。すなわち、図２３及び図２４の紙面の縦方向が装飾用部品７ａの縦方向と一致し、図２３及び図２４の紙面の前後方向（表裏方向）が装飾用部品７ａの横方向と一致し、図２３及び図２４の紙面の横方向が装飾用部品７ａの前後方向と一致する。
【０１８３】
第６実施形態に係る装飾用部品７ａは、例えば図２３〜図２４において示すように、フレーム１２０と、ダイヤモンドなどの宝石１０が固定保持される台座部２０と、フレーム１１０に設けられた２つのフレーム側係合リング部３２とを有する。フレーム１２０は、物品８に固定された基部１３０と、基部１３０に着脱可能に固定された着脱部１２１とを含む。台座部２０は、２つの台座側係合リング部２４を含む。既に説明した装飾用部品７と同様に、第６実施形態に係る装飾用部品７ａにおいても、一方の台座側係合リング部２４と一方のフレーム側係合リング部３２とが連結され、他方の台座側係合リング部２４と他方のフレーム側係合リング部３２とが連結される。互いに連結された台座側係合リング部２４とフレーム側係合リング部３２とが、接触部Ｏにおいて接触する。着脱部１２１は、基部１３０に装着された状態において、前方側から２つの接触部Ｏを覆う。
【０１８４】
この第６実施形態に係る装飾用部品７ａにおいて、宝石１０と台座部２０を含んだ部分は、「被吊り下げ体」とも呼ばれる。２つのフレーム側係合リング部３２を含んだ部分は、「吊り下げ部」とも呼ばれる。台座側係合リング部２４は、「第１リング部」とも呼ばれる。フレーム側係合リング部３２は、「第２リング部」とも呼ばれる。
【０１８５】
第６実施形態に係る装飾用部品７ａにおける「フレーム」、「被吊り下げ体」及び「吊り下げ部」の概略的な構成は、既に説明した第６実施形態に係る装飾用部品７と同様である。従って、第６実施形態に係る装飾用部品７においても、２つの外側範囲ＲＥから接近する物体に対して２つの接触部Ｏをそれぞれ保護し、不要な外力がこれらの接触部Ｏに作用し難くすることができる。
【０１８６】
また第６実施形態に係る装飾用部品７ａでは、２つの接触部Ｏを覆う着脱部１２１が、物品８に固定された基部１３０に対して着脱可能に固定される。そのため、着脱部１２１や被吊り下げ体（宝石１０及び台座部２０）などを交換したり補修したりすることが可能になる。
【０１８７】
次に、図２３及び図２４に示す装飾用部品７ａの具体的な構成について説明する。
【０１８８】
着脱部１２１は、既に説明したフレーム１１０（図１９〜図２１）と同様な構造を持つ着脱部本体１２２と、結合部１２３とを含む。
【０１８９】
着脱部本体１２２は、図２３及び図２４において示すように、ドーナツ状の形状を持つ中空体を径方向に平行な平面で半分に切断したような全体形状を持ち、その切断面の円形の縁にリング状の結合部１２３が固定される。２つのフレーム側係合リング部３２は、図２４に示すように、２つの接触部Ｏを覆うように配置された着脱部本体１２２の内面１２６に設けられている。着脱部本体１２２は、図２３及び図２４に示すように、被吊り下げ体（宝石１０及び台座部２０）の一部を外側に露出させる開口部１２５を持つ。着脱部本体１２２の開口部１２５の縁１２７は、図２３及び図２４に示すように、接触部Ｏを覆う着脱部本体１２２の内面１２６側において突出している。
【０１９０】
図２３及び図２４に示すように、物品８の表面には、円柱状に凹んだ凹部２０２が形成されており、その凹部２０２の中に基部１３０が嵌め込まれて固定される。基部１３０には、円柱状に凹んだ凹部１３１が更に形成されており、着脱部１２１はこの凹部１３１を塞ぐようにして基部１３０に固定される。基部１３０の凹部１３１における開口部の縁には、リング状の結合部１３３が形成される。
【０１９１】
着脱部１２１のリング状の結合部１２３と、基部１３０のリング状の結合部１３３とは、ネジ構造によって互いに結合（螺合）される。図２３の例において、着脱部１２１の結合部１２３の内周面にネジ溝１２４が形成されており、基部１３０の結合部１３３の外周面にもネジ溝１３４が形成されている。着脱部１２１の結合部１２３の中に、基部１３０の結合部１３３を差し込んで回転させることにより、結合部１２３と結合部１３３とが螺合され、着脱部１２１が基部１３０に固定される。
【０１９２】
＜第７実施形態＞
図２５は、第７実施形態に係る装飾用部品７ｂの一例を示す図であり、着脱部１２１が基部１３０から取り外された状態を示す。図２６は、第７実施形態に係る装飾用部品７ｂの一例を示す図であり、着脱部１２１が基部１３０に取り付けられた状態を示す。図２５及び図２６は、いずれも、台座部２０の図示が省略された図２２の断面図に対応する図面である。
【０１９３】
第７実施形態に係る装飾用部品７ｂは、前述した第６実施形態に係る装飾用部品７ａにおける吊り下げ部（２つのフレーム側係合リング部３２）の固定場所を、着脱部１２１から基部１３０に変更したものであり、他の構成は第６実施形態に係る装飾用部品７ａと同じである。図２５及び図２６の例において、係る装飾用部品７ｂは、基部１３０において２つのフレーム側係合リング部３２を支持するための２つの支持部１３５を有する。
【０１９４】
第７実施形態に係る装飾用部品７ｂでは、基部１３０によって吊り下げ部（２つのフレーム側係合リング部３２）が支持されているため、仮に着脱部１２１が脱落した場合でも、被吊り下げ体（宝石１０及び台座部２０）が基部１３０に留まる。従って、着脱部１２１の脱落による被吊り下げ体（宝石１０及び台座部２０）の紛失が生じ難くなる。
【０１９５】
＜第８実施形態＞
図２７は、第８実施形態に係る装飾用部品７ｃの一例を示す図であり、着脱部１２１が基部１３０から取り外された状態を示す。図２８は、第８実施形態に係る装飾用部品７ｃの一例を示す図であり、着脱部１２１が基部１３０に取り付けられた状態を示す。図２５及び図２６は、いずれも、台座部２０の図示が省略された図２２の断面図に対応する図面である。
【０１９６】
第８実施形態に係る装飾用部品７ｃは、前述した第７実施形態に係る装飾用部品７ｂにおける着脱部本体１２２を透明カバー部材１４１に置き換えたものであり、他の構成は第７実施形態に係る装飾用部品７ｂと同じである。透明カバー部材１４１は、透明な樹脂やガラスなどで形成された部材であり、着脱部１２１が基部１３０に取り付けられた状態において、被吊り下げ体（宝石１０及び台座部２０）の全体が透明カバー部材１４１に覆われた状態となる。そのため、被吊り下げ体（宝石１０及び台座部２０）を目視可能な状態としつつ、不要な外力が接触部Ｏに作用し難くすることができるとともに、接触部Ｏに埃などが付着し難くすることができる。
【０１９７】
＜第９実施形態＞
図２９Ａ〜図２９Ｃ、図３０Ａ〜図３０Ｆ及び図３１Ａ〜図３１Ｄは、第９実施形態に係る物品の例を示す図ある。
【０１９８】
図２９Ａは、装飾用部品７を備えた眼鏡８ａの一例を示す。
図２９Ｂは、装飾用部品７を備えたスマートフォン８ｂの一例を示す。
図２９Ｃは、装飾用部品７を備えた腕時計８ｃの一例を示す。
図３０Ａは、装飾用部品７を備えた置時計８ｄの一例を示す。
図３０Ｂは、装飾用部品７を備えたかばん８ｅの一例を示す。
図３０Ｃは、装飾用部品７を備えた財布８ｆの一例を示す。
図３０Ｄは、装飾用部品７を備えた印鑑８ｇの一例を示す。
図３０Ｅは、装飾用部品７を備えた文房具（ペン）８ｈの一例を示す。
図３０Ｆは、装飾用部品７を備えた鍵８ｉの一例を示す。
図３１Ａは、装飾用部品７を備えたオルゴール８ｊの一例を示す。
図３１Ｂは、装飾用部品７を備えたおもちゃ（人形）８ｋの一例を示す。
図３１Ｃは、装飾用部品７を備えた楽器（ギター）８ｍの一例を示す。
図３１Ｄは、装飾用部品７を備えた運動用具（ゴルフマーカー）８ｎの一例を示す。
【０１９９】
なお、これらの物品の例は一例に過ぎず、本実施形態に係る装飾用部品は他の種々の物品に取り付けてもよい。
【０２００】
以下、本発明の身飾品の実施形態に関連する付記１〜２１を開示する。本発明の装飾用部品の実施形態は、付記１〜２１に係る身飾品と同様の構成を有し、フレーム部若しくはフレームが物品に固定されたものでもよい。
【０２０１】
［付記１］
宝石を固定保持する台座部と、前記台座部を支持するフレーム部とを有し、前記台座部は、前記宝石を挟んで相対する位置に配される左右一対の台座側係合リング部を備え、前記フレーム部は、左右の前記台座側係合リング部がそれぞれ連結されて係合する左右一対のフレーム側係合リング部を備え、且つ、左右の前記フレーム側係合リング部に左右の前記台座側係合リング部がそれぞれ連結されることにより前記台座部及び前記宝石が前記フレーム部に対して揺動可能に支持される身飾品において、
前記台座側係合リング部及び前記フレーム側係合リング部が相互に連結された状態で、少なくとも前記フレーム側係合リング部と、前記台座側係合リング部の前記フレーム側係合リング部に対する連結部分とを外側から保護する保護部材を有してなることを特徴とする身飾品。
【０２０２】
この身飾品は、宝石を固定保持する台座部と、その台座部を揺動可能に支持するフレーム部とを有する。台座部は、宝石を挟むようにして相対する反対側の位置に配されるとともに少なくとも一部が円弧状（好ましく環状）に形成される左右一対の台座側係合リング部を備える。フレーム部は、少なくとも一部が円弧状（好ましく環状）に形成されるとともに台座側係合リング部がそれぞれ連結される左右一対のフレーム側係合リング部を備える。なお、身飾品に用いられる宝石には、ダイヤモンドやサファイアなどの天然宝石（天然鉱物）が含まれるだけでなく、合成した鉱物を使用する合成宝石（人工宝石）や、ガラスなどを使用する模倣宝石なども含まれる。
【０２０３】
また、この身飾品は、台座部の台座側係合リング部とフレーム部のフレーム側係合リング部とがそれぞれの内周端縁部同士を接触させるように連結された状態で、これらの台座側係合リング部とフレーム側係合リング部とを外側から囲んで保護する保護部材を有する。
【０２０４】
この場合、保護部材は、少なくとも、フレーム側係合リング部と、台座側係合リング部におけるフレーム側係合リング部に対する連結部分とを外側から保護するように形成される。ここで、台座側係合リング部における上述の連結部分とは、台座側係合リング部のフレーム側係合リング部が連結されて接触するリング部分であり、この連結部分（リング部分）は、宝石を後述するように微小に揺動させたときにフレーム側係合リング部の内周縁部が摺接する範囲（領域）を含む。
【０２０５】
また保護部材は、揺動する台座部と干渉しないように、台座部の揺動可能範囲を除いて、連結状態にある台座側係合リング部及びフレーム側係合リング部との外側に、これらを保護するように配される。具体的には、保護部材は、フレーム側係合リング部と台座側係合リング部の上述した連結部分とにおける少なくとも正面側、背面側、上面側、下面側、及び幅方向の外側面側を保護するように配される。この場合、保護部材は、保護部材のみで台座側係合リング部及びフレーム側係合リング部を保護しても良いし、また、保護部材と、その保護部材とは別に形成されるフレーム部の一部とによって、台座側係合リング部及びフレーム側係合リング部を保護しても良い。
【０２０６】
このような保護部材を有する身飾品であれば、台座部が、フレーム部に対し、台座側係合リング部及びフレーム側係合リング部を介して揺動可能に安定して支持される。また、少なくとも台座側係合リング部の上述した連結部分と、フレーム側係合リングとが、保護部材によって覆われて外部に露出しないように保護される。このため、台座側係合リング部とフレーム側係合リング部とが相互に連結して宝石の微小な揺動を可能にする連結構造部分が、別の物体に直接衝突すること等によって意図しない外力を受けることを、シンプルな構造で防止できる。
【０２０７】
このため、身飾品の通常の使用では、台座側係合リング部及びフレーム側係合リング部における上述の連結構造部分がダメージを受けて変形することを効果的に防止して、これらの形状を安定して維持できる。その結果、台座側係合リング部やフレーム側係合リング部の変形に起因して宝石の細かな揺動運動が不能になるという不具合や、台座部がフレーム部から外れるという不具合が生じることを防いで、台座部及び宝石が細かく円滑に揺動可能な状態を長期に亘って安定して維持することができる。
【０２０８】
また、台座側係合リング部及びフレーム側係合リング部が保護部材によって保護されることにより、髪の毛や糸などを台座側係合リング部やフレーム側係合リング部に絡み付き難くすることができる。それにより、身飾品の取り扱い性を向上させることができるとともに、糸などの絡み付きによって台座部及び宝石の揺動運度が阻害されることも防止できる。
【０２０９】
更に、台座側係合リング部及びフレーム側係合リング部を保護部材で被覆して外部から見えないように又は見え難いように隠せることにより、身飾品のデザインに対する制約が軽減されるため、デザインの自由度が拡大し、デザインのバリエーションを容易に増大させることが可能となる。
【０２１０】
［付記２］
前記保護部材により、前記フレーム側係合リング部及び前記台座側係合リング部の全体が保護されてなる付記１に記載の身飾品。
【０２１１】
この身飾品では、連結状態にある台座側係合リング部及びフレーム側係合リング部の全体における少なくとも正面側、背面側、上面側、下面側、及び幅方向の外側面側を、外部に露出しないように保護部材で覆って、安定して保護することができる。このため、連結状態の台座側係合リング部及びフレーム側係合リング部が、別の物体に直接衝突すること等によって意図しない外力を受けることを確実に防止し、台座部及び宝石の微小な揺動可能状態を長期に亘ってより安定して維持することができる。
【０２１２】
［付記３］
前記台座側係合リング部における前記連結部分以外の少なくとも一部が露出してなる付記１に記載の身飾品。
【０２１３】
このように、台座側係合リング部における連結部分以外の少なくとも一部が露出するようにして、保護部材でフレーム側係合リング部及び台座側係合リング部を保護することも可能である。これによっても、台座部及び宝石の微小な揺動可能状態を長期に亘って安定して維持することができる。
【０２１４】
［付記４］
前記保護部材は、前記台座側係合リング部及び前記フレーム側係合リング部の正面を保護するフロントパーツと、前記台座側係合リング部及び前記フレーム側係合リング部の背面を保護するとともに前記フロントパーツに固定されるリアパーツとを有してなる付記１〜３のいずれか１つに記載の身飾品。
【０２１５】
この身飾品において、保護部材は、台座側係合リング部及びフレーム側係合リング部の正面側に配されてこれらを保護するフロントパーツ（第１パーツ）と、台座側係合リング部及びフレーム側係合リング部の背面側に配されてこれらを保護するとともにフロントパーツに固定されるリアパーツ（第２パーツ）とを有する。
【０２１６】
このようなフロントパーツとリアパーツとを有する保護部材を用いることにより、保護部材を簡単な構造で形成できる。また、台座部に配される左右の台座側係合リング部を、フレーム部に配される左右のフレーム側係合リング部にそれぞれ連結してから、これらのリング部を保護するようにしてフロントパーツとリアパーツとを相互に固定して保護部材を形成することができる。これにより、台座部及び宝石が揺動可能に配され、且つ、台座側係合リング部及びフレーム側係合リング部が保護部材で保護される身飾品を容易に且つ安定して製造することができる。
【０２１７】
［付記５］
前記フロントパーツと前記リアパーツとは表裏対称的な形状を有してなる付記４に記載の身飾品。
【０２１８】
この身飾品では、フロントパーツとリアパーツとは表裏対称的な形状を有することにより、フロントパーツ及びリアパーツとして、同じ形状及び同じ材質を有するパーツ（部品）を用いることができる。それにより、保護部材のフロントパーツ及びリアパーツを安価に作製することができる。また、保護部材を身飾品に取り付ける（組み付ける）際に、フロントパーツとリアパーツとを取り間違えることが生じないため、保護部材の取り付け作業が煩雑化することを防いで、取り付け作業を効率的に行うことが可能となる。なお、フロントパーツとリアパーツとに、互いに形状が全く異なるパーツや、互いに材質が全く異なるパーツを使用することも可能である。
【０２１９】
［付記６］
前記保護部材は、連結された一方の前記台座側係合リング部及び前記フレーム側係合リング部と、連結された他方の前記台座側係合リング部及び前記フレーム側係合リング部とを同時に保護する単一の一体的な形状を有してなる付記１〜５のいずれか１つに記載の身飾品。
【０２２０】
この身飾品において、保護部材は、左右に配される一対の台座側係合リング部及びフレーム側係合リング部に対し、連結された一方の台座側係合リング部及びフレーム側係合リング部を保護するとともに、連結された他方の台座側係合リング部及びフレーム側係合リング部を同時に保護する単一の一体的な形状を有して形成される。これにより、保護部材を簡単な構造で形成できる。また、保護部材を、左右の台座側係合リング部及びフレーム側係合リング部の外側に容易に且つ安定して取り付けることができ、それによって、台座側係合リング部及びフレーム側係合リング部が安定して保護される。
【０２２１】
［付記７］
前記保護部材は、前記フレーム部の少なくとも一部を構成し、
前記保護部材の内面に、前記フレーム側係合リング部が固定されてなる、
付記１〜６のいずれか１つに記載の身飾品。
【０２２２】
この身飾品において、保護部材は、フレーム部の少なくとも一部を構成するように、具体的には、フレーム部のフレーム本体部を構成するように形成される。この場合、保護部材の内面に、フレーム側係合リング部が固定される。これにより、フレーム部を簡単な構造で形成できるとともに、フレーム部を構成する保護部材によって、連結状態にある台座側係合リング部とフレーム側係合リング部とを確実に保護できる。なお、保護部材はフレーム部の一部として形成されず、フレーム部が、フレーム本体部とフレーム側係合リング部とを有する部材として保護部材とは別に形成されていても良い。
【０２２３】
［付記８］
前記保護部材は、中空形状を有してなる付記１〜７のいずれか１つに記載の身飾品。
【０２２４】
この身飾品において、保護部材は、中空形状を有する。これにより、保護部材の内側に、連結状態の台座側係合リング部とフレーム側係合リング部とを安定して収容して保護できる。また、中空形状の保護部材は、例えば金属製の薄板材にプレス加工等を行うことによって安定して形成可能であるとともに、例えば内部が埋められている中実の保護部材に比べて原料コストを低く抑えることができる。
【０２２５】
［付記９］
宝石を固定保持する台座部と、前記台座部を支持するフレーム部とを有し、前記台座部は、前記宝石を挟んで相対する位置に配される左右一対の台座側係合リング部を備え、前記フレーム部は、左右の前記台座側係合リング部がそれぞれ連結されて係合する左右一対のフレーム側係合リング部を備え、且つ、左右の前記フレーム側係合リング部に左右の前記台座側係合リング部がそれぞれ連結されることにより前記台座部及び前記宝石が前記フレーム部に対して揺動可能に支持される身飾品において、
前記フレーム部は、前記台座側係合リング部及び前記フレーム側係合リング部が相互に連結された状態で、少なくとも前記フレーム側係合リング部と、前記台座側係合リング部の前記フレーム側係合リング部に対する連結部分とを内部に収容して外側から保護する収容室を有してなることを特徴とする身飾品。
【０２２６】
この身飾品は、宝石を固定保持する台座部と、その台座部を揺動可能に支持するフレーム部とを有する。台座部は、宝石を挟むようにして相対する反対側の位置に配されるとともに少なくとも一部が円弧状（好ましく環状）に形成される左右一対の台座側係合リング部を備える。フレーム部は、少なくとも一部が円弧状（好ましく環状）に形成されるとともに台座側係合リング部がそれぞれ連結される左右一対のフレーム側係合リング部を備える。
【０２２７】
フレーム部は、台座部の台座側係合リング部とフレーム部のフレーム側係合リング部とがそれぞれの内周端縁部同士を接触させるように連結された状態で、少なくともフレーム側係合リング部と、台座側係合リング部のフレーム側係合リング部に対する連結部分とを内部に収容して外側から保護する収容室を有する。この場合、収容室を有するフレーム部は、揺動する台座部と干渉しないように、台座部の揺動可能範囲を除いて、連結状態にある台座側係合リング部及びフレーム側係合リング部との外側に、これらを保護するように配される。
【０２２８】
このようにフレーム部が収容室を有する身飾品であれば、台座部が、フレーム部に対し、台座側係合リング部及びフレーム側係合リング部を介して揺動可能に安定して支持される。また、少なくとも台座側係合リング部の上述した連結部分と、フレーム側係合リング部とがフレーム部の収容室内に収容されて、外部に露出しないように保護される。このため、台座側係合リング部とフレーム側係合リング部とが相互に連結して宝石の微小な揺動を可能にする連結構造部分が、別の物体に直接衝突すること等によって意図しない外力を受けることを、シンプルな構造で防止できる。
【０２２９】
このため、身飾品の通常の使用では、台座側係合リング部及びフレーム側係合リング部における上述の連結構造部分がダメージを受けて変形することを効果的に防止して、これらの形状を安定して維持できる。その結果、台座側係合リング部やフレーム側係合リング部の変形に起因して宝石の細かな揺動運動が不能になるという不具合や、台座部がフレーム部から外れるという不具合が生じることを防いで、台座部及び宝石が細かく円滑に揺動可能な状態を長期に亘って安定して維持することができる。
【０２３０】
また、台座側係合リング部及びフレーム側係合リング部がフレーム部の収容室内に収容されて保護されることにより、髪の毛や糸などを台座側係合リング部やフレーム側係合リング部に絡み付き難くすることができる。それにより、身飾品の取り扱い性を向上させることができるとともに、糸などの絡み付きによって台座部及び宝石の揺動運度が阻害されることも防止できる。
【０２３１】
更に、台座側係合リング部及びフレーム側係合リング部をフレーム部の収容室内に保持して外部から見えないように又は見え難いように隠せることにより、身飾品のデザインに対する制約が軽減されるため、デザインの自由度が拡大し、デザインのバリエーションを容易に増大させることが可能となる。
【０２３２】
［付記１０］
前記収容室に、前記フレーム側係合リング部及び前記台座側係合リング部の全体が収容されてなる付記９に記載の身飾品。
【０２３３】
この身飾品において、フレーム部の収容室内にフレーム側係合リング部及び台座側係合リング部の全体が収容されることにより、フレーム側係合リング部の全体と台座側係合リング部の全体とがフレーム部により保護される。これによって、連結状態にある台座側係合リング部及びフレーム側係合リング部の全体における少なくとも正面側、背面側、上面側、下面側、及び幅方向の外側面側を、外部に露出しないように隠して安定して保護することができる。このため、連結状態の台座側係合リング部及びフレーム側係合リング部が、別の物体に直接衝突すること等によって意図しない外力を受けることを確実に防止し、台座部及び宝石の微小な揺動可能状態を長期に亘ってより安定して維持することができる。
【０２３４】
［付記１１］
前記台座側係合リング部における前記連結部分以外の少なくとも一部が露出してなる付記９に記載の身飾品。
【０２３５】
このように、台座側係合リング部における連結部分以外の少なくとも一部が露出するようにして、フレーム部の収容室内にフレーム側係合リング部及び台座側係合リング部を収容することも可能である。これによっても、台座部及び宝石の微小な揺動可能状態を長期に亘って安定して維持することができる。
【０２３６】
［付記１２］
前記フレーム部のフレーム本体部は、前記台座側係合リング部及び前記フレーム側係合リング部の正面を保護するフロントパーツと、前記台座側係合リング部及び前記フレーム側係合リング部の背面を保護するとともに前記フロントパーツに固定されるリアパーツとを有し、
前記フロントパーツと前記リアパーツとは表裏対称的な形状を有し、
前記フレーム本体部は、前記収容室を形成する中空の形状を有してなる、
付記９〜１１のいずれか１つに記載の身飾品。
【０２３７】
このようにフレーム部のフレーム本体部がフロントパーツとリアパーツとを有することにより、左右の台座側係合リング部を左右のフレーム側係合リング部にそれぞれ連結してから、これらのリング部を保護するようにしてフロントパーツとリアパーツとを相互に固定してフレーム本体部を形成できる。このため、台座側係合リング部及びフレーム側係合リング部を簡単な構造で安定して保護できる。また、中空形状のフレーム本体部は、例えば金属製の薄板材にプレス加工等を行うことによって安定して形成可能であるとともに、例えば内部が埋められている中実のフレーム本体部に比べて原料コストを低く抑えることができる。
【０２３８】
［付記１３］
前記フレーム部は、前記台座部の一部を挿通させる挿通開口部を有し、
前記挿通開口部は、前記台座部及び前記宝石の揺動を許容すると同時に、前記台座部及び前記宝石の揺動範囲を規制する大きさを有してなる、
付記１〜１２のいずれか１つに記載の身飾品。
【０２３９】
この構成によれば、台座部及び宝石が細かく円滑に揺動可能な状態を安定して維持できる。また、フレーム部で台座部及び宝石の揺動可能範囲が規制されることにより、正面から見たときに綺麗に光って見える範囲で宝石を適切に揺動させることができるため、揺動による装飾効果をより有効に得ることが可能となる。
【０２４０】
［付記１４］
前記フレーム部は、前記身飾品を正面側から見たとき、前記台座部に保持された前記宝石の外周を取り囲み、且つ、前記宝石との間に隙間のある形状を有してなる付記１〜１３のいずれか１つに記載の身飾品。
【０２４１】
この構成によれば、フレーム部（保護部材）で台座部及び宝石の周りを全体的に保護できる。また、台座部及び宝石の外周近傍に配されたフレーム部に対して、宝石が宙に浮いた状態に見えるとともに、台座部及び宝石が細かく揺動することにより、宝石の揺れが強調され易くなる。その結果、台座部に保持された宝石の輝きがより美しく見え、身飾品の装飾効果や高級感をより効果的に高めることができ、また、身飾品が、今までにない斬新なイメージ（美感）を備えることも可能となる。更に、台座部及び宝石の周りにフレーム部が配されることにより、台座部及び宝石が揺動するときに、台座部及び宝石を使用者の衣類等に接触させ難くして、衣類等の接触によって台座部及び宝石の揺動が停止することを抑制できる。
【０２４２】
［付記１５］
前記身飾品の側面視において、前記身飾品の表裏方向に関し、前記フレーム部の裏側端面は、揺動可能な前記宝石の裏面側先端部の位置よりも更に裏側の位置に配されてなる付記１〜１４のいずれか１つに記載の身飾品。
【０２４３】
この構成によれば、身飾品が重力に従ってぶら下げられた状態において、又は、身飾品の通常の使用において、その身飾品を側面側から見たときに、身飾品の表裏方向に関し、フレーム部の裏側端面は、揺動可能な宝石の裏面側先端部の位置よりも更に裏側の位置に配されている。これにより、身飾品を身に着けたときに宝石（特に宝石の裏面側先端部）が衣服等に直接接触することを防いで、衣類等の接触によって台座部及び宝石の揺動が停止することをより効果的に抑制できる。このため、台座部及び宝石の揺動を長い時間で自然に持続させることができる。
【０２４４】
［付記１６］
フレームと、
２つの第１リング部を含んだ被吊り下げ体と、
２つの第２リング部を含み、前記フレームに設けられた吊り下げ部とを有し、
一方の前記第１リング部と一方の前記第２リング部とが連結され、
他方の前記第１リング部と他方の前記第２リング部とが連結され、
互いに連結された前記第１リング部と前記第２リング部とが接触部において接触し、
前記吊り下げ部は、前記被吊り下げ体を仮想的な揺動軸の周りで揺動可能に吊り下げ、
前記被吊り下げ体と前記吊り下げ部とは、前記揺動軸上に位置する２つの前記接触部において接触し、
前記２つの接触部の間に位置し前記揺動軸に垂直な所定の２つの平面により区分される３つの範囲のうち、それぞれ１つの前記接触部を含む２つの範囲をそれぞれ外側範囲と規定した場合に、
前記フレームは、
一方の前記外側範囲において、一方の前記接触部の周囲を覆い、
他方の前記外側範囲において、他方の前記接触部の周囲を覆う、
身飾品。
【０２４５】
この身飾品では、吊り下げ部によって吊り下げられた被吊り下げ体が、仮想的な揺動軸の周りで揺動可能な状態となる。この揺動可能な状態において、被吊り下げ体と吊り下げ部とが、揺動軸上に位置する２つの接触部において接触する。すなわち、連結された一方の第１リング部と一方の第２リング部との接触部、及び、連結された他方の第１リング部と他方の第２リング部との接触部を通る揺動軸の周りで、被吊り下げ体が揺動可能な状態となる。２つの接触部の間に位置し揺動軸に垂直な所定の２つの平面を想定した場合、この２つの平面によって区分される３つの範囲のうち、それぞれ１つの接触部を含む２つの範囲が、それぞれ外側範囲として規定される。この２つの外側範囲は、それぞれ異なる接触部を含む。一方の接触部を含んだ一方の外側範囲では、フレームによって、一方の接触部の周囲が覆われる。これにより、一方の外側範囲から接近する物体に対して一方の接触部が保護されるため、一方の接触部に不要な外力が作用し難くなる。また、他方の接触部を含んだ他方の外側範囲では、フレームによって、他方の接触部の周囲が覆われる。これにより、他方の外側範囲から接近する物体に対して他方の接触部が保護されるため、他方の接触部に不要な外力が作用し難くなる。
【０２４６】
［付記１７］
前記揺動軸に垂直な方向の１つを縦方向と規定し、前記揺動軸に平行な方向を横方向と規定し、前記縦方向及び前記横方向に垂直な方向を前後方向と規定した場合に、
前記被吊り下げ体は、前記前後方向における少なくとも前側から目視可能であり、
前記フレームは、前記横方向における左側及び右側から前記被吊り下げ体を覆う、
付記１６に記載の身飾品。
【０２４７】
これにより、前後方向における少なくとも前側から被吊り下げ体を目視することが可能になる一方、横方向における左側や右側から接近する物体に対して被吊り下げ体が保護されるため、被吊り下げ体自身や、被吊り下げ体と吊り下げ部との２つの接触部に不要な外力が作用し難くなる。
【０２４８】
［付記１８］
前記フレームは、前記縦方向における上側及び下側から前記被吊り下げ体を覆う、
付記１７に記載の身飾品。
【０２４９】
これにより、縦方向における上側や下側から接近する物体に対して被吊り下げ体が保護されるため、被吊り下げ体自身や、被吊り下げ体と吊り下げ部との２つの接触部に不要な外力が作用し難くなる。
【０２５０】
［付記１９］
前記フレームは、前記第２リング部を通り前記揺動軸に垂直な任意の平面上において前記第２リング部の周囲を覆う、
付記１６〜１８のいずれか１つに記載の身飾品。
【０２５１】
これにより、揺動軸に垂直な方向から接近する物体に対して第２リング部が保護されるため、第２リング部に不要な外力が作用し難くなる。
【０２５２】
［付記２０］
前記フレームは、前記第１リング部を通り前記揺動軸に垂直な任意の平面上において前記第１リング部の周囲を覆う、
付記１６〜１９のいずれか１つに記載の身飾品。
【０２５３】
これにより、揺動軸に垂直な方向から接近する物体に対して第１リング部が保護されるため、第１リング部自身や、第１リング部と第２リング部との接触部に不要な外力が作用し難くなる。
【符号の説明】
【０２５４】
１，１ａ，１ｃ    ペンダントトップ
２，３            ペンダントトップ
４                指輪
４ａ              指輪本体部
５                チェーン
６                使用者
７，７ａ〜７ｃ    装飾用部品
８，８ａ〜８ｎ    物品
１０                宝石
１１                裏面側先端部（キューレット部）
２０                台座部
２１                台座本体部
２１ａ              開口部
２２                爪部
２３                アーム部
２４，２４ｃ        台座側係合リング部
２４ａ              中央開口部
３０                フレーム部
３１，３１ａ        フレーム本体部（保護部材）
３１ｂ              フレーム本体部
３２，３２ｃ        フレーム側係合リング部
３３                チェーン連結部
３４                内部空間（収容室）
３５，３５ｂ        内周側間隙
３６                フロントパーツ
３７                リアパーツ
４０                フレーム部
４１                フレーム本体部（保護部材）
４２                フレーム側係合リング部
４３                チェーン連結部
４６                フロントパーツ
４７                リアパーツ
５０                フレーム部
５１                フレーム本体部
５２                フレーム側係合リング部
５３                チェーン連結孔部
５４                リング収容部
６０                保護部材
６１                後壁部
６２                外側側壁部
６３                底壁部
９０                台座部
９１                台座本体部
９２                爪部
９３                アーム部
９４                台座側係合リング部
９４ａ              中央開口部
１００                フレーム部
１０１                フレーム本体部
１０１ａ              底面部
１０１ｂ              内周壁面部
１０２                フレーム側係合リング部
１０３                保護部材
１０４                収容室（内部空間）
１１０                フレーム
１１２                開口部
１１３                内面
１１４，１１５        縁
１２０                フレーム
１２１                着脱部
１２２                着脱部本体
１２３                結合部
１２４                ネジ溝
１２５                開口部
１２６                内面
１２７                縁
１３０                基部
１３１                凹部
１３３                結合部
１３４                ネジ溝
１３５                支持部
１４１                透明カバー部材
Ｏ                接触部
α                傾斜角度
ＡＸ                揺動軸
ＰＬ                平面
ＲＥ                外側範囲
【図１】
2019107279.tif 000003
【図２】
2019107279.tif 000004
【図３】
2019107279.tif 000005
【図４】
2019107279.tif 000006
【図５】
2019107279.tif 000007
【図６】
2019107279.tif 000008
【図７】
2019107279.tif 000009
【図８】
2019107279.tif 000010
【図９】
2019107279.tif 000011
【図１０】
2019107279.tif 000012
【図１１】
2019107279.tif 000013
【図１２】
2019107279.tif 000014
【図１３】
2019107279.tif 000015
【図１４】
2019107279.tif 000016
【図１５】
2019107279.tif 000017
【図１６】
2019107279.tif 000018
【図１７】
2019107279.tif 000019
【図１８】
2019107279.tif 000020
【図１９】
2019107279.tif 000021
【図２０】
2019107279.tif 000022
【図２１】
2019107279.tif 000023
【図２２】
2019107279.tif 000024
【図２３】
2019107279.tif 000025
【図２４】
2019107279.tif 000026
【図２５】
2019107279.tif 000027
【図２６】
2019107279.tif 000028
【図２７】
2019107279.tif 000029
【図２８】
2019107279.tif 000030
【図２９】
2019107279.tif 000031
【図３０】
2019107279.tif 000032
【図３１】
2019107279.tif 000033
【図３２】
2019107279.tif 000034
【図３３】
2019107279.tif 000035
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
物品の外観を装飾する装飾用部品であって、
前記物品に固定されたフレームと、
２つの第１リング部を含む被吊り下げ体と、
２つの第２リング部を含み、前記フレームに設けられた吊り下げ部とを有し、
一方の前記第１リング部と一方の前記第２リング部とが連結され、
他方の前記第１リング部と他方の前記第２リング部とが連結され、
互いに連結された前記第１リング部と前記第２リング部とが接触部において接触し、
前記吊り下げ部は、前記被吊り下げ体を仮想的な揺動軸の周りで揺動可能に吊り下げ、
前記被吊り下げ体と前記吊り下げ部とは、前記揺動軸上に位置する２つの前記接触部において接触し、
前記２つの接触部の間に位置し前記揺動軸に垂直な所定の２つの平面により区分される３つの範囲のうち、１つの前記接触部をそれぞれ含む２つの範囲をそれぞれ外側範囲と規定した場合に、
前記フレームは、
一方の前記外側範囲に含まれる一方の前記接触部の周囲であって、前記物品により覆われていない当該一方の接触部の周囲のうち、少なくとも当該一方の外側範囲から見た当該一方の接触部の周囲を全て覆い、
他方の前記外側範囲に含まれる他方の前記接触部の周囲であって、前記物品により覆われていない当該他方の接触部の周囲のうち、少なくとも当該他方の外側範囲から見た当該他方の接触部の周囲を全て覆う、
装飾用部品。
【請求項２】
前記揺動軸に垂直な方向の１つを縦方向と規定し、前記揺動軸に平行な方向を横方向と規定し、前記縦方向及び前記横方向に垂直な方向を前後方向と規定した場合に、
前記被吊り下げ体は、前記前後方向における少なくとも前側から目視可能であり、
前記フレームは、前記横方向における左側及び右側から前記被吊り下げ体の全体を覆う、
請求項１に記載の装飾用部品。
【請求項３】
前記フレームは、前記縦方向における上側及び下側から前記被吊り下げ体の全体を覆う、
請求項２に記載の装飾用部品。
【請求項４】
前記フレームは、前記第２リング部を通り前記揺動軸に垂直な任意の平面上において、前記物品により覆われていない前記第２リング部の周囲全てを覆う、
請求項１〜３のいずれか一項に記載の装飾用部品。
【請求項５】
前記フレームは、前記第１リング部を通り前記揺動軸に垂直な任意の平面上において、前記物品により覆われていない前記第１リング部の周囲全てを覆う、
請求項１〜４のいずれか一項に記載の装飾用部品。
【請求項６】
前記第２リング部は、前記接触部を覆った前記フレームの内面に設けられている、
請求項１〜５のいずれか一項に記載の装飾用部品。
【請求項７】
前記フレームは、
前記物品に固定された基部と、
前記接触部を覆い、前記基部に着脱可能に固定された着脱部とを含み、
前記吊り下げ部は、前記基部または前記着脱部に設けられている、
請求項１〜５のいずれか一項に記載の装飾用部品。
【請求項８】
前記着脱部は、
ドーナツ状の形状を持つ中空体を径方向に平行な平面で半分に切断したような全体形状を持つ着脱部本体と、
前記着脱部本体の前記平面による円形の切断面の縁に固定されたリング状の第１結合部とを含み、
前記基部は、
円柱状に凹んだ凹部と、
前記凹部における開口部の縁に形成されたリング状の第２結合部とを含み、
前記着脱部本体は、前記被吊り下げ体の一部を外側に露出させる開口部を持ち、
前記第１結合部と前記第２結合部とがネジ構造によって互いに結合される、
請求項７に記載の装飾用部品。
【請求項９】
前記フレームは、前記被吊り下げ体の一部を外側に露出させる開口部を持つ、
請求項１〜７のいずれか一項に記載の装飾用部品。
【請求項１０】
前記揺動軸に垂直な方向の１つを縦方向と規定し、前記揺動軸に平行な方向を横方向と規定し、前記縦方向及び前記横方向に垂直な方向を前後方向と規定した場合に、
前記開口部は、前記被吊り下げ体の一部を前方に露出させ、
前記開口部の縁は、前記接触部を覆う前記フレームの内面側において後方に突出している、
請求項８又は９に記載の装飾用部品。
【請求項１１】
前記フレームは、少なくとも一部が透明であり、
前記被吊り下げ体の少なくとも一部は、前記フレームの透明な部分を介して目視可能である、
請求項１〜７のいずれか一項に記載の装飾用部品。
【請求項１２】
前記フレームは、前記物品により覆われていない前記被吊り下げ体の周囲全てを覆う、
請求項１１に記載の装飾用部品。
【請求項１３】
請求項１〜１２のいずれか一項に記載の装飾用部品を備えた物品。
【請求項１４】
前記物品は、眼鏡、腕時計、置時計、印鑑、かばん、財布、文房具、鍵、スマートフォン、オルゴール、おもちゃ、楽器又は運動用具である、
請求項１３に記載の物品。
【手続補正２】
【補正対象書類名】明細書
【補正対象項目名】００２１
【補正方法】変更
【補正の内容】
【００２１】
本開示の第１の側面は、物品の外観を装飾する装飾用部品に関する。この装飾用部品は、物品に固定されたフレームと、２つの第１リング部を含む被吊り下げ体と、２つの第２リング部を含み、フレームに設けられた吊り下げ部とを有する。一方の第１リング部と一方の第２リング部とが連結され、他方の第１リング部と他方の第２リング部とが連結され、互いに連結された第１リング部と第２リング部とが接触部において接触する。吊り下げ部は、被吊り下げ体を仮想的な揺動軸の周りで揺動可能に吊り下げる。被吊り下げ体と吊り下げ部とは、揺動軸上に位置する２つの接触部において接触する。２つの接触部の間に位置し揺動軸に垂直な所定の２つの平面により区分される３つの範囲のうち、それぞれ１つの接触部を含む２つの範囲をそれぞれ外側範囲と規定した場合に、フレームは、一方の外側範囲に含まれる一方の接触部の周囲であって、物品により覆われていない当該一方の接触部の周囲のうち、少なくとも当該一方の外側範囲から見た当該一方の接触部の周囲を全て覆い、他方の外側範囲に含まれる他方の接触部の周囲であって、物品により覆われていない当該他方の接触部の周囲のうち、少なくとも当該他方の外側範囲から見た当該他方の接触部の周囲を全て覆う。
【手続補正３】
【補正対象書類名】明細書
【補正対象項目名】００２３
【補正方法】変更
【補正の内容】
【００２３】
好適に、揺動軸に垂直な方向の１つを縦方向と規定し、揺動軸に平行な方向を横方向と規定し、縦方向及び横方向に垂直な方向を前後方向と規定した場合に、被吊り下げ体は、前後方向における少なくとも前側から目視可能であってよく、フレームは、横方向における左側及び右側から被吊り下げ体の全体を覆ってよい。
これにより、前後方向における少なくとも前側から被吊り下げ体を目視することが可能になる一方、横方向における左側や右側から接近する物体に対して被吊り下げ体が保護されるため、被吊り下げ体自身や、被吊り下げ体と吊り下げ部との２つの接触部に不要な外力が作用し難くなる。
【手続補正４】
【補正対象書類名】明細書
【補正対象項目名】００２４
【補正方法】変更
【補正の内容】
【００２４】
好適に、フレームは、縦方向における上側及び下側から被吊り下げ体の全体を覆ってよい。
これにより、縦方向における上側や下側から接近する物体に対して被吊り下げ体が保護されるため、被吊り下げ体自身や、被吊り下げ体と吊り下げ部との２つの接触部に不要な外力が作用し難くなる。
【手続補正５】
【補正対象書類名】明細書
【補正対象項目名】００２５
【補正方法】変更
【補正の内容】
【００２５】
好適に、フレームは、第２リング部を通り揺動軸に垂直な任意の平面上において、物品により覆われていない第２リング部の周囲全てを覆ってよい。
これにより、揺動軸に垂直な方向から接近する物体に対して第２リング部が保護されるため、第２リング部に不要な外力が作用し難くなる。
【手続補正６】
【補正対象書類名】明細書
【補正対象項目名】００２６
【補正方法】変更
【補正の内容】
【００２６】
好適に、フレームは、第１リング部を通り揺動軸に垂直な任意の平面上において、物品により覆われていない第１リング部の周囲全てを覆ってよい。
これにより、揺動軸に垂直な方向から接近する物体に対して第２リング部が保護されるため、第２リング部自身や、第１リング部と第２リング部との接触部に不要な外力が作用し難くなる。
【手続補正７】
【補正対象書類名】明細書
【補正対象項目名】００３０
【補正方法】変更
【補正の内容】
【００３０】
好適に、揺動軸に垂直な方向の１つを縦方向と規定し、揺動軸に平行な方向を横方向と規定し、縦方向及び前記横方向に垂直な方向を前後方向と規定した場合に、開口部は、被吊り下げ体の一部を前方に露出させてよく、開口部の縁は、接触部を覆うフレームの内面側において後方に突出していてよい。
これにより、開口部側から見て被吊り下げ体と吊り下げ部との接触部が開口部の縁により覆われるため、開口部側から接近する物体に対して接触部が保護され易くなる。
【手続補正８】
【補正対象書類名】明細書
【補正対象項目名】００３２
【補正方法】変更
【補正の内容】
【００３２】
フレームの一部が透明である場合、例えばフレームは、物品により覆われていない被吊り下げ体の周囲全てを覆ってよい。
これにより、被吊り下げ体の目視を妨げることなく、外部より接近する物体から被吊り下げ体が保護される。